(57)【要約】  本発明は、シェービングデバイス（１）の毛切断ユニット（１３ａ，１３ｂ，１３ｃ）における使用のための外部切断部材（１９）に関する。外部切断部材の環状毛切断トラック（４１）が、中心軸（４３）と、複数の毛進入開口（４９）と、隣接する毛進入開口の各ペアの間に配置される毛案内要素（５１）とを有する。毛案内要素は、各々、外面セグメント（５５）と、内面セグメント（５７）と、第１の毛進入開口（４９ａ）を境界付ける第１の側面（５９）と、第２の毛進入開口（４９ｂ）を境界付ける第２の側面（６１）と、第１の側面が内面セグメントに接続する場所にある第１の切断エッジ（６３）と、第２の側面が内面セグメントに接続する場所にある第２の切断エッジ（６５）とを有する。中心軸に対する半径方向に対して垂直に延びる断面において、各毛案内要素は、内面セグメントに対して垂直に延びる仮想中間軸（７９）を有する。仮想中間軸は、第１及び第２の切断エッジの中間の交点（８１）で内面セグメントと交差し、毛案内要素の総断面積（ＡＴ）を第１の切断エッジを含む第１の断面積部分（Ａ１）と第２の切断エッジを含む第２の断面積部分（Ａ２）とに分割し、総断面積は、第１及び第２の断面積部分の合計である。本発明によれば、各毛案内要素の第１の断面積部分は、毛案内要素の総断面積の４８％以下である。本発明は、更に、シェービングデバイス（１）における使用のための毛切断ユニット（１３ａ，１３ｂ，１３ｃ）に関し、本発明に従った外部切断部材と、回転軸（２９）についての外部切断部材に対して回転可能な内部切断部材（２１）とを含み、内部切断部材は、第１の回転方向（Ｒ１）における内部切断部材の回転中に外部切断部材の第１の切断エッジと協働するための第１の切断エッジ（６９）と、第２の回転方向（Ｒ２）における内部切断部材の回転中に外部切断部材の第２の切断エッジと協働するための第２の切断エッジ（７３）とを含む。
2021522007.tif 000002
【特許請求の範囲】
【請求項１】
シェービングデバイスの毛切断ユニットにおける使用のための外部切断部材であって、
当該外部切断部材は、環状毛切断トラックを含み、該環状毛切断トラックは、
−  使用中にユーザの皮膚と接触する外面と、
−  使用中に前記毛切断ユニットの内部切断部材と接触する内面と、
−  中心軸と、
−  各毛進入開口が前記外面から前記内面に延びる、複数の毛進入開口と、
−  該複数の毛進入開口の第１の毛進入開口と隣接する第２の毛進入開口との間に配置される毛案内要素とを有し、
該毛案内要素は、
−  前記外面によって構成される外面セグメントと、
−  前記内面によって構成される内面セグメントと、
−  前記第１の毛進入開口を境界付ける第１の側面と、
−  前記第２の毛進入開口を境界付ける第２の側面と、
−  前記第１の側面が前記内面セグメントに接続する場所にある第１の切断エッジと、
−  前記第２の側面が前記内面セグメントに接続する場所にある第２の切断エッジとを含み、
前記中心軸に対する半径方向に対して垂直に延びる前記毛案内要素の断面において、
−  前記内面セグメントは、前記中心軸に対して垂直な仮想平面内で前記第１及び第２の切断エッジの間に延び、
−  前記毛案内要素は、前記第１及び第２の切断エッジの間の中間の交点において前記内面セグメントと交差し、前記毛案内要素の総断面積を前記第１の切断エッジを含む第１の断面積部分と前記第２の切断エッジを含む第２の断面積部分とに分割する、前記内面セグメントに対して垂直に延びる仮想中間軸を有し、前記総断面積は、前記第１の断面積部分と前記第２の断面積部分との合計であり、
前記毛案内要素の前記第１の断面積部分は、前記毛案内要素の前記総断面積の４８％以下であることを特徴とする、
外部切断部材。
【請求項２】
前記第１の断面積部分は、前記総断面積の３０％〜４５％の間である、請求項１に記載の外部切断部材。
【請求項３】
毛案内要素が、前記複数の毛進入開口の隣接する毛進入開口の各ペアの間に配置される、請求項１又は２に記載の外部切断部材。
【請求項４】
前記毛案内要素の前記断面において、前記内面セグメントに対して垂直な方向において測定される前記毛案内要素の厚さが、前記仮想中間軸と前記第２の切断エッジとの間の最大厚さ位置で最大値を有し、前記厚さは、前記第１の切断エッジから前記最大厚さ位置まで増大し、前記最大厚さ位置から前記第２の切断エッジまで減少する、請求項１乃至３のうちのいずれか１項に記載の外部切断部材。
【請求項５】
前記毛案内要素は、前記中心軸からの第１の距離から該第１の距離とは異なる前記中心軸からの第２の距離までの任意の位置において前記半径方向に対して垂直な断面において前記第１の断面積部分と前記第２の断面積部分とを有する、請求項１乃至４のうちのいずれか１項に記載の外部切断部材。
【請求項６】
前記中心軸からの前記第１及び第２の距離にある位置において、前記毛案内要素の前記総断面積は、前記第１及び第２の距離の間の前記中心軸からの第３の距離にある位置における前記毛案内要素の前記総断面積よりも大きい、請求項５に記載の外部切断部材。
【請求項７】
前記毛案内要素の前記総断面積は、前記中心軸からの前記第１及び第２の距離の間で漸進的に変化する、請求項６に記載の外部切断部材。
【請求項８】
シェービングデバイスにおける使用のための毛切断ユニットであって、
−  請求項１乃至７のうちのいずれか１項に記載の外部切断部材と、
−  第１の回転方向及び該第１の回転方向とは反対の第２の回転方向において回転軸について前記外部切断部材に対して回転可能な内部切断部材とを含み、
−  前記外部切断部材は、少なくとも、第１の切断エッジを含む第１の毛切断要素と、第２の切断エッジを含む第２の毛切断要素とを含み、
−  前記回転軸に対する半径方向に対して垂直に延びる前記第１及び第２の毛切断要素の共通の断面において、前記第１及び第２の毛切断要素の前記第１及び第２の切断エッジは、前記回転軸に対して垂直な仮想平面内に位置し、
−  前記第１の毛切断要素の前記第１の切断エッジは、前記第１の回転方向における前記内部切断部材の回転中に前記外部切断部材の前記毛案内要素の前記第１の切断エッジと協働するように構成され、
−  前記第２の毛切断要素の前記第２の切断エッジは、前記第２の回転方向における前記内部切断部材の回転中に前記外部切断部材の前記毛案内要素の前記第２の切断エッジと協働するように構成される、
毛切断ユニット。
【請求項９】
前記第１及び第２の毛切断要素は、担持要素に一体的に形成され、該担持要素は、
−  使用中に前記外部切断部材の前記内面と接触する上面と、
−  前記第１の毛切断要素の前記第１の切断エッジを介して前記上面に接続される第１の側面と、
−  前記第２の毛切断要素の前記第２の切断エッジを介して前記上面に接続される第２の側面とを含み、
前記第１及び第２の毛切断要素の前記共通の断面において、前記上面は、前記回転軸に対して垂直な前記仮想平面内に延びる、
請求項８に記載の毛切断ユニット。
【請求項１０】
前記第１及び第２の毛切断要素の前記共通の断面において、前記担持要素の前記第１の側面及び前記上面は、前記第１の毛切断要素の前記第１の切断エッジの場所で第１の切断エッジ角を囲み、前記担持要素の前記第２の側面及び前記上面は、前記第２の毛切断要素の前記第２の切断エッジの場所で第２の切断エッジ角を囲み、前記第１の切断エッジ角は、前記第２の切断エッジ角よりも小さい、請求項９に記載の毛切断ユニット。
【請求項１１】
前記内部切断部材は、前記第１の毛切断要素の前記第１の切断エッジとの協働のために前記第１の回転方向において見られるときに前記担持要素の前に配置される毛収縮要素を更に含み、
該毛収縮要素は、
−  端面を含み、該端面は、前記担持要素から離れた該端面の側に切断エッジを有し、
−  前記担持要素の前記第１の側面に沿って前記担持要素に対して移動可能に案内され、
−  前記外部切断部材の前記内面に向かってバネ力によって付勢される、
請求項９又は１０に記載の毛切断ユニット。
【請求項１２】
シェービングヘッドであって、
−  当該シェービングヘッドをシェービングデバイスの本体に解放可能に連結するように構成される連結部材を含む支持構造と、
−  該支持構造によって支持される請求項８乃至１１のうちのいずれか１項に記載の少なくとも１つの毛切断ユニットとを含む、
シェービングヘッド。
【請求項１３】
−  請求項８乃至１１のうちのいずれか１項に記載の少なくとも１つの毛切断ユニットと、
−  該毛切断ユニットを駆動させるアクチュエータとを含み、
該アクチュエータは、
−  第１の動作状態において作動し、該第１の動作状態において、前記アクチュエータは、前記内部切断部材が前記第１の回転方向において前記外部切断部材に対して回転するように、前記毛切断ユニットを駆動させ、
−  第２の動作状態において作動し、該第２の動作状態において、前記アクチュエータは、前記内部切断部材が前記第２の回転方向において前記外部切断部材に対して回転するように、前記毛切断ユニットを駆動させる、
ように構成され且つ配置される、
シェービングデバイス。
【請求項１４】
−  アクチュエータを収容する本体と、
−  該アクチュエータによって駆動させられるために前記本体に解放可能に連結可能な請求項１２に記載のシェービングヘッドとを含み、
前記アクチュエータは、
−  第１の動作状態において作動し、該第１の動作状態において、前記アクチュエータは、前記毛切断ユニットの前記内部切断部材が前記第１の回転方向において前記外部切断部材に対して回転するように、前記シェービングヘッドを駆動させ、
−  第２の動作状態において作動し、該第２の動作状態において、前記アクチュエータは、前記毛切断ユニットの前記内部切断部材が前記第２の回転方向において前記外部切断部材に対して回転するように、前記シェービングヘッドを駆動させる、
ように構成され且つ配置される、
シェービングデバイス。
【請求項１５】
前記第１又は第２の動作状態において作動するよう前記アクチュエータを選択的に制御するように構成され且つ配置される制御ユニットを更に含む、請求項１３又は１４に記載のシェービングデバイス。
【請求項１６】
前記ユーザが前記第１及び第２の動作状態を選択することを可能にするユーザ入力部材を更に含む、請求項１３乃至１５のうちのいずれか１項に記載のシェービングデバイス。
【発明の詳細な説明】
【技術分野】
【０００１】
本発明は、シェービングデバイスの毛切断ユニットにおける使用のための外部切断部材に関し、外部切断部材は、環状毛切断トラックを含み、環状毛切断トラックは、使用中にユーザの皮膚と接触する外面と、使用中に毛切断ユニットの内部切断部材と接触する内面と、中心軸と、各毛進入開口が外面から内面に延びる、複数の毛進入開口と、複数の毛進入開口の第１の毛進入開口と隣接する第２の毛進入開口との間に配置される毛案内要素とを有し、毛案内要素は、外面によって構成される外面セグメントと、内面によって構成される内面セグメントと、第１の毛進入開口を境界付ける第１の側面と、第２の毛進入開口を境界付ける第２の側面と、第１の側面が内面セグメントに接続する場所にある第１の切断エッジと、第２の側面が内面セグメントに接続する場所にある第２の切断エッジとを含み、中心軸に対する半径方向に対して垂直に延びる案内要素の断面において、内面セグメントは、中心軸に対して垂直な仮想平面内で第１の切断エッジと第２の切断エッジとの間に延びる。
【０００２】
本発明は、更に、シェービングユニットにおける使用のための毛切断ユニットに関し、毛切断ユニットは、本明細書で前述の外部切断部材と、第１の回転方向及び第１の回転方向とは反対の第２の回転方向において回転軸について外部切断部材に対して回転可能な内部切断部材とを含み、外部切断部材は、少なくとも、第１の切断エッジを含む第１の毛切断要素と、第２の切断エッジを含む第２の毛切断要素とを含み、回転軸に対する半径方向に対して垂直に延びる第１及び第２の毛切断要素の共通の断面において、第１及び第２の毛切断要素の第１及び第２の切断エッジは、回転軸に対して垂直な仮想平面内に位置し、第１の毛切断要素の第１の切断エッジは、第１の回転方向における内部切断部材の回転中に外部切断部材の毛案内要素の第１の切断エッジと協働するように構成され、第２の毛切断要素の第２の切断エッジは、第２の回転方向における内部切断部材の回転中に外部切断部材の毛案内要素の前記第２の切断エッジと協働するように構成される。
【０００３】
本発明は、更に、シェービングヘッドであって、シェービングヘッドをシェービングデバイスの本体に解放可能に連結するように構成される連結部材を含む支持構造と、支持構造によって支持される本明細書で前述のような少なくとも１つの毛切断ユニットとを含む、シェービングヘッドに更に関する。
【０００４】
本発明は、更に、本明細書で前述のような少なくとも１つの毛切断ユニットと、毛切断ユニットを駆動するアクチュエータとを含み、アクチュエータは、内部切断部材が第１の回転方向において外部切断部材に対して回転するように、アクチュエータが毛切断ユニットを駆動させる、第１の動作状態において作動し、内部切断部材が第２の回転方向において外部切断部材に対して回転するように、アクチュエータが毛切断ユニットを駆動させる、第２の動作状態において作動する、ように構成され且つ配置される、シェービングデバイスに関する。
【０００５】
本発明は、更に、アクチュエータを収容する本体と、アクチュエータによって駆動されるために本体に解放可能に連結可能な本明細書で前述のようなシェービングヘッドとを含み、アクチュエータは、毛切断ユニットの内部切断部材が第１の回転方向において外部切断部材に対して回転するように、前記アクチュエータがシェービングヘッドを駆動させる、第１の動作状態において作動し、毛切断ユニットの内部切断部材が第２の回転方向において外部切断部材に対して回転するように、アクチュエータがシェービングヘッドを駆動させる、第２の動作状態において作動する、ように構成され且つ配置される、シェービングデバイスに関する。
【背景技術】
【０００６】
回転型の電気シェービングデバイスは、よく知られている。そのようなシェービングデバイスは、通常、各々が、複数の毛進入開口を含む環状毛切断トラックを有する外部切断部材と、外部切断部材の環状毛切断トラックと協働するために環状構成に配置された複数の毛切断要素を有する内部切断部材とを含む、２つ又は３つの毛切断ユニットを有する。通常、そのようなシェービングデバイスは、各毛切断ユニットの内部切断部材を単一の回転方向においてのみ外部切断部材に対して回転させることができるように構成される。そのような構成において、内部切断部材の毛切断要素は、前記単一の回転方向における外部切断に対する内部切断部材の回転中に毛進入開口にある外部切断部材の環状毛切断トラックに設けられた対向切断エッジ(カウンタ切断エッジ)と協働するように配置された切断エッジを有する。
【０００７】
「技術分野」欄に記載した種類の外部切断部材、毛切断ユニット、シェービングデバイスは、特許文献１から知られている。この知られているシェービングデバイスのユーザは、外部切断部材に対する毛切断ユニットの内部切断部材の回転方向を選択することができる。第１の回転方向における内部切断部材の回転中、内部切断部材の第１の切断エッジは、外部切断部材の環状毛切断トラックに設けられた第１の切断エッジと共働する一方で、第１の回転方向とは反対の第２の回転方向における内部切断部材の回転中、内部切断部材の第２の切断エッジは、外部切断部材の環状毛切断トラックに設けられた第２の切断エッジと共働する。知られているシェービングデバイスでは、内部切断部材の第１及び第２の切断エッジのペアが、内部切断部材の複数の毛切断要素の各々の毛切断要素の上面の２つの対向するエッジに設けられ、前記上面は、使用中、外部切断部材の環状毛切断トラックの内面とすべり接触する。外部切断部材の環状毛切断トラックの第１及び第２の切断エッジのペアは、環状毛切断トラックの隣接する毛進入開口のペアのそれぞれの１つの間にそれぞれ配置される、環状毛切断トラックの複数の毛案内要素の各々の毛案内要素の内面セグメントの対向エッジに設けられ、前記内面セグメントは、環状毛切断トラックの内面によって構成される。内部切断部材の第１及び第２の切断エッジは、毛切断要素のウェッジ形状端部分に設けられる。第１の切断エッジを有するウェッジ形状端部分のウェッジ角は、第２の切断エッジを有するウェッジ形状端部分のウェッジ角よりも小さいので、内部切断部材の第１の切断エッジは、内部切断部材の第２の切断エッジよりも鋭利である。その結果、内部切断部材の第１の回転方向を選択するとき、知られているシェービングデバイスは、比較的高い毛切断効率を提供するが比較的低い皮膚快適性を提供する第１のモードで作動するが、内部切断部材の第２の回転方向を選択するとき、知られているシェービングデバイスはより低い毛切断効率を提供するがより高い皮膚快適性を提供する第２のモードで作動する。よって、ユーザは、シェービングデバイスの前記第１及び第２の動作モードのうちの好ましいものを選択するオプションを有する。しかしながら、この知られているシェービングデバイスの問題は、内部切断部材の第１及び第２の切断エッジの異なるウェッジ角にも拘わらず、第１及び第２の動作モードによって提供されるシェービング結果の差が比較的小さいことである。
【０００８】
特許文献２は、外部切断部材と、外部切断部材に対して単一の回転方向においてのみ回転させることができる内部切断部材とを備える、毛切断ユニットを開示している。外部切断部材は、ダムと呼ばれる毛案内要素によって分離された複数の毛進入開口を含む。ダムは、断面が非対称であり、回転方向に増加する厚さを有する、プロファイルを有する。
【０００９】
特許文献３は、外部切断部材と、外部切断部材に対して回転させることができる内部切断部材とを備える、毛切断ユニットを開示している。外部切断部材は、リブと呼ばれる毛案内要素によって分離された複数の毛進入開口を含む。リブの側壁表面の下端に形成された切断エッジは鋭角を有する。第１の実施形態では、各リブの２つの側壁表面は、平行で傾斜しているので、鋭角の切断エッジが、内部切断部材の回転方向とは反対方向に面する２つの側壁表面のうちの１つの側壁表面のみの下端に形成されている。第２の実施形態において、リブは、対称的な断面を有し、鋭角の切断エッジが、各リブの２つの側壁表面の各々の側壁表面の下端に形成されている。
【発明の概要】
【発明が解決しようとする課題】
【００１０】
本発明の目的は、第１及び第２の回転方向における内部切断部材の回転中に達成されるシェービング結果の間の差の増大、特に毛切断プロセスの近接性(closeness)と皮膚快適性との間の差の増大をもたらす、「本発明の分野」欄に記載される種類の外部切断部材、毛切断ユニット、シェービングヘッド及びシェービングデバイスを提供することである。
【課題を解決するための手段】
【００１１】
前記目的を達成するために、本発明によれば、「技術分野」欄に記載のタイプの外部切断部材が、中心軸に対する半径方向に対して垂直に延びる毛案内要素の断面において、毛案内要素は、第１の切断エッジと第２の切断エッジとの間の中間の交点において内面セグメントと交差し、毛案内要素の総断面積を第１の切断エッジを含む第１の断面積部分と第２の切断エッジを含む第２の断面積部分とに分割する、内面セグメントに対して垂直に延びる仮想中間軸を有し、総断面積は、第１の断面積部分と第２の断面積部分との合計であり、毛案内要素の第１の断面積部分は、毛案内要素の総断面積の４８％以下であることによって特徴付けられる。
【００１２】
本発明の観点から、「切断エッジ(cutting  edge)」という用語は、対向切断エッジと協働して毛を切断することを可能にする曲率半径を有するエッジ(縁)として解釈されるべきである。特に、切断エッジの曲率半径は、３０マイクロメートル以下、より好ましくは、２０マイクロメートル以下、最も好ましくは、１５マイクロメートル以下である。本発明に従った外部切断部材は、外部切断部材の環状切断トラックの中心軸と実質的に一致する回転軸について相互に対向する第１及び第２の回転方向において外部切断部材に対して回転可能な内部切断部材を更に含む毛切断ユニットにおける使用のために意図されている。特に、内部切断部材は、外部切断部材の中心軸についての内部切断部材の回転中に環状切断トラックの内面と滑り接触する、複数の毛切断要素を有する。特に、内部切断部材の毛切断要素は、第１の回転方向における内部切断部材の回転中に外部切断部材の毛案内要素の第１の切断エッジと協働するための第１の切断エッジと、第２の回転方向における内部切断部材の回転中に毛案内要素の第２の切断エッジと協働するための第２の切断エッジとを有する。毛切断要素と、外部切断部材の第１及び第２の切断エッジを含む毛案内要素の内面セグメントとの間の、内部切断部材の回転中の、適切な接触を可能にするために、内面セグメントは、毛案内要素の前記断面において見られるときに、中心軸に対して垂直な仮想平面内に延在する。
【００１３】
本発明によれば、毛案内要素の第１の断面積部分は、毛案内要素の総断面積の４８％以下であるので、第１の切断エッジを含む第１の断面積部分は、第２の切断エッジを含む毛案内要素の第２の断面積部分の平均的な厚さよりも小さい、内面セグメントに対して垂直な方向に測定される平均的な厚さを有する。特に、第１の断面積部分の平均的な厚さは、第２の断面積部分の平均的な厚さの９２．３％（４８／５２）以下である。その結果、毛案内要素によってユーザの皮膚に対して使用中に加えられる局所的な圧力の影響の下で、皮膚は、毛案内要素の第２の側面によって境界付けられる毛進入開口と比較してより大きい程度まで、毛案内要素の第１の側面によって境界付けられる毛進入開口に進入する。その結果、皮膚は、毛案内要素の第２の切断エッジよりも毛案内要素の第１の切断エッジにより近い。その結果、内部切断部材が第１の回転方向において回転させられ、毛切断が毛案内要素の第１の切断エッジで行われるとき、毛は皮膚に比較的近い位置で切断されるので、比較的滑らかで長持ちするシェービング結果が達成される。しかしながら、この第１の動作モードでは、第１の切断エッジに対して比較的近い皮膚の位置の故に、皮膚刺激のリスクは増大する。他方、内部切断部材が第２の回転方向に回転させられ、毛切断が毛案内部材の第２の切断エッジで行われるとき、毛は皮膚に余り近くない位置において切断されるので、余り滑らかでないシェービング結果が達成される。この第２の動作モードでは、第１の動作モードと比較して、皮膚刺激のリスクは比較的小さく、皮膚快適性のレベルは相当に増加する。よって、毛案内要素の第１及び第２の断面積部分の平均的な厚さの前記差は、シェービングプロセスの近接性(closeness)とシェービングデバイスの第１及び第２の動作モードにおける皮膚の快適性との間のバランスに相当な差をもたらし、よって、２つの極めて別個の動作モードの間で選択するオプションをユーザに提供する。
【００１４】
本発明に従った外部切断部材の好ましい実施形態において、第１の断面積部分は、総断面積の３０％〜４５％である。この好ましい実施形態において、第１の断面積部分の平均的な厚さは、第２の断面積部分の平均的な厚さの４２．９％（３０／７０）〜８１．８％（４５／５５）の間である。これらの比率は、内部切断部材が第１又は第２の回転方向のいずれかにおいて回転する、本発明に従った外部切断部材を含む、毛切断ユニットの使用から生じる、シェービングプロセスの近接性と皮膚の快適性との間のバランスにおける最適な差をもたらす。
【００１５】
本発明に従った外部切断部材の更なる実施形態では、毛案内要素が、複数の毛進入開口の隣接する毛進入開口の各ペアの間に配置される。この実施形態では、第１の切断エッジ及び第２の切断エッジを含み、本発明に従った第１の断面積部分及び第２の断面積部分を含む、毛案内要素が、外部切断部材の複数の毛進入開口の隣接する毛進入開口の各ペアの間に配置される。このようにして、毛案内要素の第１及び第２の切断エッジで達成される毛切断結果の間の差は、最大可能な範囲で説明されるようにされる。
【００１６】
本発明に従った外部切断部材の更なる実施形態では、毛案内要素の断面において、内面セグメントに対して垂直な方向において測定される前記毛案内要素の厚さが、仮想中間軸と第２の切断エッジとの間の最大厚さ位置で最大値を有し、厚さは、第１の切断エッジから最大厚さ位置に増大し、最大厚さ位置から第２の切断エッジに減少する。このようにして、本発明に従った毛案内要素の第１の断面積部分と総断面積との間の比が、毛案内要素の断面の単純な幾何学的形状によって達成される。更に、毛案内要素の第１及び第２の切断エッジでの毛進入開口への皮膚進入の程度の間で相当な差が達成される。毛案内要素の厚さは、第１の切断エッジから最大厚さ位置まで連続的に又は漸進的に増加してよく、最大厚さ位置から第２の切断エッジまで連続的又は漸進的に減少してよい。代替的に、毛案内要素の厚さは、第１又は第２の断面積部分の一部に亘って一定であってよい。
【００１７】
本発明に従った外部切断部材の更に好ましい実施形態において、毛案内要素は、中心軸からの第１の距離から第１の距離と異なる中心軸からの第２の距離までの任意の位置において半径方向に対して垂直な断面において第１の断面積部分及び第２の断面積部分を有する。この実施形態において、毛案内要素は、中心軸に対する半径方向に主延伸を備える細長い形状を有してよい。代替的に、毛案内要素は、半径方向において部分的に細長くてよい。この実施形態では、第１及び第２の距離の間の中心軸からの距離の範囲内で、半径方向に対して垂直な毛案内要素の任意の断面は、本発明に従った第１の断面積部分と総断面積との間の比を有する。これは、毛案内要素の第１及び第２の切断エッジで達成される毛切断結果の間の差が、中心軸からの全範囲の距離に亘って説明されるようになることを可能にする。特に、前記距離の範囲は、内部切断部材の協働する切断エッジの半径方向延伸に対応してよい。
【００１８】
本発明に従った外部切断部材の一層更なる好ましい実施形態では、中心軸から第１及び第２の距離にある位置において、毛案内要素の総断面積は、第１及び第２の距離の間の中心軸からの第３の距離にある位置において毛案内要素の前記総断面積よりも大きい。この実施形態は、外部切断部材と協働する内部切断部材の切断エッジが、中心軸からの前記第１の距離から前記第２の距離まで前記中心軸に対して半径方向に延びるときに特に有利である。中心軸からの前記第１及び第２の距離に存在する、内部切断部材の切断エッジの端部分による皮膚損傷のリスクは、内部切断部材の回転中に比較的高い。中心軸からの前記第１及び第２の距離での毛案内要素のより大きな断面積は、前記第１及び第２の距離の間の毛案内要素の中央部分と比較してより大きな前記第１及び第２の距離での毛案内要素の平均的な厚さをもたらす。前記より大きな平均厚さは、中心軸からの前記第１及び第２の距離での毛入口開口内への皮膚の進入の程度を減少させ、それによって、回転する内部切断部材の切断エッジの端部分によって引き起こされるあらゆる潜在的な損傷の増大から皮膚を保護する。加えて、前記第１及び第２の距離での毛案内要素の前記より大きな平均的な厚さは、毛案内要素の剛性を増加させる。この実施形態において、毛案内要素の総断面積は、中心軸からの前記第１の距離から前記第２の距離まで連続的に又は漸進的に変化してよい。特に、毛案内要素の総断面積は、中心軸からの前記第１の距離に存在する最大値から前記第３の距離に存在する最小値まで連続的に又は漸進的に減少してよく、前記中心軸からの前記第３の距離に存在する前記最小値から前記第２の距離に存在する前記最大値まで連続的に又は漸進的に増大してよい。
【００１９】
本発明によれば、本発明の「技術分野」欄に記載するタイプの毛切断ユニットは、毛切断ユニットにおいて使用される外部切断部材が、本明細書で前述したような本発明に従った外部切断部材であることによって特徴付けられる。第１の回転方向における内部切断部材の回転中に外部切断部材の毛案内要素の第１の切断エッジと協働するように構成された内部切断部材の第１の切断エッジを含む第１の毛切断要素、及び第２の回転方向における内部切断部材の回転中に外部切断部材の毛案内要素の第２の切断エッジと協働するように構成された内部切断部材の第２の切断エッジを含む第２の毛切断要素は、各担持要素が端部分に、特に端部分の上面に、内部切断部材の第１及び第２の切断エッジのそれぞれ１つを担持する、２つの空間的に分離された担持要素によって具現されてよい。２つの空間的に分離された担持要素は、内部切断部材の基部に取り付けられてよく或いは一体的に形成されてよい。代替的に、第１及び第２の毛切断要素は、内部切断部材の基部に取り付けられるか或いは一体的に形成される共通の担持要素によって支持されてよい。内部切断部材の回転中に、内部切断部材の第１及び第２の毛切断要素と外部切断部材の第１及び第２の切断エッジを含む毛案内要素の内面セグメントとの間の適切な接触を可能にするために、第１及び第２の毛切断要素の第１及び第２の切断エッジは、回転軸に対する半径方向に対して垂直に延びる第１及び第２の毛切断要素の共通の断面において見られるときに、回転軸に対して垂直な仮想平面内に位置する。
【００２０】
本発明に従った毛切断ユニットの好ましい実施形態において、第１及び第２の毛切断要素は、使用中に外部切断部材の内面と接触するための上面と、第１の毛切断要素の第１の切断エッジを介して上面に接続される第１の側面と、第２の毛切断要素の第２の切断エッジを介して上面に接続される第２の側面とを含む、担持要素に一体的に形成され、第１及び第２の毛切断要素の前記共通の断面において、上面は、回転軸に対して垂直な前記想定平面内に延びる。この実施形態において、内部切断部材の第１の及び第２の切断エッジは、前記担持要素の前記上面の対向するエッジに一体的に形成される。この実施形態において、第１の毛切断要素は、第１の切断要素を含む前記担持要素の第１の上方部分を構成してよく、第２の毛切断要素は、第２の切断要素を含む前記担持要素の第２の上方部分を構成してよい。前記担持要素は、内部切断部材の基部に取り付けられるか或いは一体的に形成されてよい。内部切断部材は、各担持要素が、その上面に第１及び第２の切断エッジを備える、複数のそのような担持要素を含んでよい。
【００２１】
本発明に従った毛切断ユニットの更なる実施形態では、第１及び第２の毛切断要素の前記共通の断面において、担持要素の第１の側面及び上面は、第１の毛切断要素の第１の切断エッジの場所で第１の切断エッジ角を囲み、担持要素の第２の側面及び上面は、第２の毛切断要素の第２の切断エッジの場所で第２の切断エッジ角を囲み、第１切断エッジ角は、第２の切断エッジ角よりも小さい。第１の切断エッジの第１の切断エッジ角は、第２の切断エッジの第２の切断エッジ角よりも小さいので、第１の回転方向及び第２の回転方向においてそれぞれ回転する内部切断部材を用いた毛切断ユニットの毛切断効率の間の差及び皮膚快適性の程度の差が更に増大する。何故ならば、一般的に、切断エッジの切断エッジ角が減少すると、前記切断エッジでの毛切断効率は増大するが、前記切断エッジでの皮膚快適性のレベルは減少するからである。
【００２２】
本発明に従った毛切断ユニットの更なる実施形態において、内部切断部材は、第１の毛切断要素の第１の切断エッジとの協働のために第１の回転方向において見られるときに担持要素の前に配置される毛収縮要素を更に含み、毛収縮要素は、端面を含み、端面は、担持要素から離れた端面の側に切断エッジを有し、毛収縮要素は、担持要素の第１の側面に沿って担持要素に対して移動可能に案内され、毛収縮要素は、外部切断部材の内面に向かってバネ力によって付勢される。そのような毛収縮要素は、そのようなものとして知られており、更に、内部切断部材の第１の切断エッジでの毛切断プロセスの近接性を増大させる。動作中、第１の切断エッジによって切断されるべき毛は、先ず、毛収縮要素の切断エッジによって把持され、第１の切断エッジに対する毛収縮要素の収縮によって部分的に皮膚から引き出される。その結果、部分的に引き出された毛は、引き続き、毛収縮要素を使用しない毛切断プロセスと比較して、皮膚により近い位置で第１の切断エッジによって切断される。その結果、毛収縮素子は、第１の回転方向及び第２の回転方向にそれぞれ回転する内部切断部材を用いた毛切断ユニットの毛切断プロセスの近接性の間の差を更に増大させる。
【００２３】
本発明によれば、「技術分野」欄に記載したタイプのシェービングヘッドは、シェービングヘッドにおいて使用される毛切断ユニットが、本明細書において前述したような本発明に従った毛切断ユニットであることによって特徴付けられる。連結部材は、支持構造の底壁の中央に配置されてよく、支持構造に配置される伝動ユニットを介して複数の毛切断ユニットを駆動するように構成された単一の中央に配置された駆動シャフトを収容してよい。シェービングヘッドをシェービングデバイスの本体に連結することによって、シェービングヘッドの単一の駆動シャフトは、本体に配置されたモータによって駆動される本体の単一の駆動シャフトに連結されてよい。
【００２４】
本発明によれば、少なくとも１つの毛切断ユニットを含む「技術分野」欄に記載したタイプのシェービングデバイスは、シェービングデバイスにおいて使用される毛切断ユニットが本発明に従った毛切断ユニットであることによって特徴付けられる。毛切断ユニットを駆動させるアクチュエータは、２つの反対の回転方向に選択的に作動することができる電気回転モータであってよい。
【００２５】
本発明によれば、シェービングヘッドを含む「技術分野」に記載したタイプのシェービングデバイスは、シェービングデバイスにおいて使用されるシェービングヘッドが本発明に従ったシェービングヘッドであることによって特徴付けられる。シェービングヘッドを駆動させるアクチュエータは、シェービングデバイスの本体に収容され、２つの反対の回転方向に選択的に作動することができる電気回転モータであってよい。シェービングヘッドが本体に連結されるとき、電気モータは、シェービングヘッドの毛切断ユニットの内部切断部材を第１の回転方向又は第２の回転方向に選択的に駆動させてよい。
【００２６】
本発明に従ったシェービングデバイスの好ましい実施形態は、第１又は第２の動作状態において作動するようアクチュエータを選択的に制御するように構成及び配置された制御ユニットを更に含む。制御ユニットは、ユーザ入力に基づいてアクチュエータの動作状態を制御してよい。そのような実施形態において、シェービングデバイスは、ユーザが第１及び第２の動作条件を選択することを可能にするユーザ入力部材を更に含んでよい。代替的に、制御ユニットは、例えば、センサ入力又はソフトウェアに基づいて、アクチュエータの動作状態を自動的に制御してよい。
【００２７】
次に、本発明のより良い理解のために並びに本発明がどのように実施されることがあるかをより明確に示すために、添付の図面をほんの一例として参照する。
【図面の簡単な説明】
【００２８】
【図１】本発明に従ったシェービングデバイスの実施形態を示している。
【図２】図１のシェービングデバイスに用いられる本発明に従ったシェービングヘッドの実施形態を示している。
【図３】図２のシェービングヘッドに用いられる本発明に従った毛切断ユニットの第１の実施形態を示している。
【図４】図３の毛切断ユニットに用いられる本発明に従った外部切断部材の単一の毛案内要素及び図３の毛切断ユニットに用いられる内部切断部材の単一の毛切断体の概略的な斜視図である。
【図５】外部切断部材の中心軸に対する半径方向に対して垂直に延びる図４の毛案内要素の断面図を概略的に示している。
【図６Ａ】内部切断部材が第１の回転方向に回転する状態で、内部切断部材の回転軸に対する半径方向に対して垂直に延びる図４の毛切断体の断面図を概略的に示している。
【図６Ｂ】内部切断部材が第２の回転方向に回転する状態で、図６Ａの断面を概略的に示している。
【図７】本発明に従った毛切断ユニットの第２の実施形態における毛切断体及び毛案内要素の断面を概略的に示している。
【図８】本発明に従った毛切断ユニットの第３の実施形態における毛切断体及び毛案内要素の断面を概略的に示している。
【発明を実施するための形態】
【００２９】
図１は、本発明に従ったシェービングデバイス１の実施形態を示している。シェービングデバイス１は、動作中にユーザの手によって保持されるように設計された本体３を含む。シェービングデバイス１は、本発明に従ったシェービングヘッド５を更に含む。シェービングヘッド５は、図２に詳細に示されており、支持構造７(support  structure)と、支持構造７に解放可能に連結可能なシェービングユニット９とを含む。支持構造７は、中央に配置された連結部材１１を含み、シェービングヘッド５は、連結部材１１によって、本体３に解放可能に連結可能である。図１は、シェービングユニット９が支持構造７に連結され、シェービングヘッド５が本体３に連結された動作状態において、シェービングヘッド５を示している。図２は、シェービングヘッド５が本体３から解放され、シェービングユニット９が支持構造７から解放された状態において、シェービングヘッド５を示している。
【００３０】
シェービングヘッド５は、本発明に従った３つの毛切断ユニット１３ａ、１３ｂ、１３ｃを含む。シェービングヘッド５の動作状態において、毛切断ユニット１３ａ、１３ｂ、１３ｃは、シェービングユニット９の支持部材１５(supporting  member)によって支持されている。具体的には、毛切断ユニット１３ａ、１３ｂ、１３ｃは、シェービングユニット９の支持部材１５に枢動的に取り付けられた３つの皮膚支持部材１７ａ、１７ｂ、１７ｃのそれぞれ１つによって支持され、それぞれが毛切断ユニット１３ａ、１３ｂ、１３ｃのそれぞれ１つを取り囲んでいる。図３は、関連する皮膚支持部材１７ａを含む、毛切断ユニット１３ａを詳細に示している。毛切断ユニット１３ｂ、１３ｃは、毛切断ユニット１３ａと同一である。具体的には、図３は、毛切断ユニット１３ａを分解された状態で示している。毛切断ユニット１３ａは、本発明に従った外部切断部材１９と、内部切断部材２１と、保持部材２３とを含む。図２に示すように、毛切断ユニット１３ａの組立状態において、外部切断部材１９は、皮膚支持部材１７ａ内に配置され、内部切断部材２１は、外部切断部材１９内に配置され、外部切断部材１９及び内部切断部材２１は、スナップ接続２５ａ、２５ｂによって皮膚支持部材１７ａに解放可能に連結可能な保持部材２３によって皮膚支持部材１７ａ内の所定の位置に保持される。皮膚支持部材１７ａは、ヒンジ構造２７ａ、２７ｂによってシェービングユニット９の支持部材１５に寸胴的に取り付けられる。
【００３１】
毛切断ユニット１３ａ、１３ｂ、１３ｃがそれらの組立状態にあるシェービングヘッド５の動作状態において、各内部切断部材２１は、図３に示す回転軸２９について外部切断部材１９に対して回転可能である。シェービングデバイス１は、本体３に収容されたアクチュエータ３１を含む。図１に示す実施形態において、アクチュエータ３１は、概略的にのみ示す電気回転モータを含む。シェービングヘッド５の動作状態において、アクチュエータ３１は、伝動ユニットを介して毛切断ユニット１３ａ、１３ｂ、１３ｃの内部切断部材２１を外部切断部材１９に対して回転させることができ、伝動ユニットは、本体３内に並びにシェービングヘッド５（図示せず）の支持構造７内に収容される伝動要素を含み、３つの内部切断部材１９のそれぞれ１つに解放可能に連結されるために支持構造７内にそれぞれ配置される（図２に示す）３つの駆動スピンドル３３ａ、３３ｂ、３３ｃを更に含む。アクチュエータ３１は、内部切断部材２１が回転軸２９についての第１の回転方向Ｒ１において外部切断部材１９に対して回転するように、アクチュエータ３１が毛切断ユニット１３ａ、１３ｂ、１３ｃを駆動させる、第１の動作状態において作動するように、並びに、内部切断部材２１が第１の回転方向Ｒ１とは反対の回転軸２９についての第２の回転方向Ｒ２において外部切断部材１９に対して回転するように、アクチュエータ３１が毛切断ユニット１３ａ、１３ｂ、１３ｃを駆動させる、第２の動作状態において作動するように、構成され且つ配置される。シェービングデバイス１は、図１に概略的に示す制御ユニット３５を含み、第１の動作状態又は第２の動作状態において作動するようアクチュエータ３１を選択的に制御するように、構成され且つ配置される。シェービングデバイス１は、図１に概略的に示すユーザ入力部材３７を更に含み、ユーザが第１の動作状態及び第２の動作状態を選択することを可能にする。ユーザ入力部材３７は、単純な制御ノブ又はタッチパネルであってよい。アクチュエータ３１が電気回転モータを含むとき、制御ユニット３５は、例えば、選択される動作状態に依存して２つの回転方向の１つにおいてモータを選択的に駆動させるように、回転モータの電源ユニットを制御してよい。
【００３２】
本発明に従ったシェービングデバイスは、代替的に、本発明に従った少なくとも１つの毛切断ユニットを支持する支持構造を有してよく、支持構造は、シェービングデバイスの本体に対して固定された位置に取り付けられることに留意のこと。更に、本体に解放可能に連結される本発明に従ったシェービングヘッドを有する本発明に従ったシェービングデバイスにおいて、シェービングヘッドの支持構造は、前述した中央に配置された連結部材１１とは異なる連結部材を有してよい。例えば、支持構造は、前述のような支持部材１５と類似の形状を有してよく、支持構造は、ヒンジ構造によって本体に解放可能に連結される。そのような実施形態では、動作状態において、シェービングデバイスの毛収集チャンバが、本体の上壁及び支持構造によって囲まれるのに対し、図２に示す実施形態では、毛収集チャンバ３９が、シェービングヘッド５の動作状態において支持構造７及びシェービングユニット９によって囲まれる。
【００３３】
図１及び図３に示すように、本発明に従った外部切断部材１９は、外部切断部材１９及び環状毛切断トラック４１の中心軸４３の周りに中心的に配置される環状毛切断トラック４１を含む。毛切断ユニット１３ａの組立状態において、中心軸４３は、回転軸２９と実質的に一致する。環状毛切断トラック４１は、使用中にユーザの皮膚と接触する（図１に見える）環状外面４５を有する。環状毛切断トラック４１は、使用中に毛切断ユニット１３ａの内部切断部材２１と接触する（図３に見える）環状内面４７を有する。環状毛切断トラック４１は、複数の毛進入開口４９を更に含み、各々の毛進入開口４９は、環状外面４５から環状内面４７まで延びる。図３に示す外部切断部材１９の実施形態において、毛進入開口４９は、スロット形状であり、各々の毛進入開口４９は、中心軸４３に対して半径方向に主たる延伸方向を有する。環状毛切断トラック４１の複数の毛進入開口４９の隣接する毛進入開口４９の各ペアの間には、毛案内要素５１が配置される。図３に示す外部切断部材１９の実施形態において、毛案内要素５１は、ラメラ形状であり、各々の毛案内要素５１は、中心軸４３に対して半径方向に延びる主たる延伸方向を有する。
【００３４】
図３に示すように、内部切断部材２１は、複数の毛切断体５３を含む。毛切断体５３は、内部切断部材２１の基部５５に環状に配列され且つ一体的に形成される。毛切断ユニット１３ａの組立状態において、毛切断体５３は、外部切断部材１９に対する内部切断部材２１の回転中に、毛切断体５３が環状毛切断トラック４１の環状内面４７と滑り接触するように、外部切断部材１９の環状毛切断トラック４１の環状内面４７に沿って配置される。
【００３５】
図４は、毛切断ユニット１３ａの外部切断部材１９の単一の毛案内要素５１を、毛切断ユニット１３ａの内部切断部材２１の単一の毛切断体５３と共に、概略的な斜視図において示している。外部切断部材１９の残余の毛案内要素５１及び内部切断部材２１の残余の毛切断体５３は、図４に示す単一の毛案内要素５１及び単一の毛切断体５３に関して以下に記載するのと類似の特徴を有する。
【００３６】
図４において、参照番号４９ａ及び４９ｂは、環状毛切断トラック４１の第１の毛進入開口及び隣接する第２の毛進入開口をそれぞれ示しており、毛案内要素５１は、それらの間に配置される。図４に示すように、外部切断部材１９の毛案内要素５１は、環状毛切断トラック４１の環状外面４５によって構成される外面セグメント５５と、環状毛切断トラック４１の環状内面４７によって構成される内面セグメント５７とを含む。毛案内要素５１は、更に、第１の毛進入開口４９ａを境界付ける第１の側面５９と、第２の毛進入開口４９ｂを境界付ける第２の側面６１とを含む。第１の側面５９が内面セグメント５７に接続する場所で、毛案内要素５１は、第１の切断エッジ６３を含む。第２の側面６１が内面セグメント５７に接続する場所で、毛案内要素５１は、第２の切断エッジ６５を含む。毛案内要素５１の第１及び第２の切断エッジ６３、６５は、以下に記載するように毛切断体５３に設けられる対向切断エッジ(カウンタ切断エッジ)と協働して毛の切断を可能にするのに十分な程に鋭利である。好ましくは、毛案内要素５１の第１及び第２の切断エッジ６３、６５は、３０マイクロメートル以下、より好ましくは、２０マイクロメートル以下、最も好ましくは、１５マイクロメートル以下の曲率半径を有する。
【００３７】
図４に更に示すように、内部切断部材２１の毛切断体５３は、第１の切断エッジ６９を含む第１の毛切断要素６７と、第２の切断エッジ７３を含む第２の毛切断要素７１とを含む。毛切断体５３の第１の切断エッジ６９は、内部切断部材２１が外部切断部材１９に対して第１の回転方向Ｒ１において回転するときに、外部切断部材１９の毛案内要素５１の第１の切断エッジ６３と協働するように配置される。毛切断体５３の第２の切断エッジ７３は、内部切断部材２１が外部切断部材１９に対して第２の回転方向Ｒ２において回転するときに、外部切断部材１９の毛案内要素５１の第２の切断エッジ６５と協働するように配置される。毛切断体５３の第１及び第２の切断エッジ６９、７３は、外部切断部材１９の毛案内要素５１に設けられた第１及び第２の切断エッジ６３、６５とそれぞれ協働して毛の切断を可能にするのに十分な程に鋭利である。好ましくは、毛切断体５３の第１及び第２の切断エッジ６９、７３は、３０マイクロメートル以下、より好ましくは、２０マイクロメートル以下、最も好ましくは、１５マイクロメートル以下の曲率半径を有する。
【００３８】
図５は、図４に示す毛案内要素５１の断面図を示している。前記断面は、図４において参照番号７５によって示されており、外部切断部材１９の中心軸４３に対する半径方向に対して垂直に延びる。前記断面において、毛案内要素５１の内面セグメント５７は、中心軸４３に対して垂直に延びる仮想平面７７において、毛案内要素５１の第１及び第２の切断エッジ６３、６５の間に延在する。前記断面において、内部切断部材２１の毛切断体５３の第１及び第２の切断要素６７、７１の第１及び第２の切断エッジ６９、７３は、回転軸２９についての内部切断部材２１の回転中に、前記仮想平面７７に平行に、内面セグメント５７と滑り接触して移動する。更に、前記断面において、毛案内要素５１は、内面セグメント５７に対して垂直に延びる仮想中間軸７９を有する。想像中間軸７９は、毛案内要素５１の第１及び第２の切断エッジ６３、６５の間の中間の交点８１において内面セグメント５７と交差する。換言すれば、図５に示すように、毛案内要素５１の幅Ｗは、仮想中間軸７９によって２つの等しい半体Ｈ１及びＨ２に分割される。よって、仮想中間軸７９は、毛案内要素５１の全断面積ＡＴを、第１の切断エッジ６３を含み、第１の切断エッジ６３から仮想中間軸７９まで延びる、第１の断面積部分Ａ１と、第２の切断エッジ６５を含み、第２の切断エッジ６５から仮想中間軸７９まで延びる、第２の断面積部分Ａ２とに分割する。よって、総断面積ＡＴは、第１の断面積部分Ａ１と第２の断面積部分Ａ２との合計である。
【００３９】
本発明によれば、毛案内要素５１の第１の断面積部分Ａ１は、第２の断面積部分Ａ２よりも小さい。具体的には、第１の断面積部分Ａ１は、毛案内要素５１の総断面積ＡＴの４８％以下である。その結果、内面セグメント５７に対して垂直な方向において測定された第１の断面積部分Ａ１の平均的な厚さは、図５で容易に分かるように、第２の断面積部分Ａ２の平均的な厚さよりも小さい。具体的には、第１の断面積部分Ａ１の平均的な厚さは、第２の断面積部分Ａ２の平均的な厚さの９２．３％（４８／５２）以下である。図６Ａ及び図６Ｂを参照して、毛案内要素５１の第１及び第２の断面積部分Ａ１及びＡ２の間のこの平均的な厚さ比の技術的効果を以下に議論する。
【００４０】
図６Ａ及び図６Ｂは、内部切断部材２１の回転軸２９に対する半径方向に対して垂直に延びる毛切断体５３の断面を概略的に示している。図６Ａ及び図６Ｂは、図５に示す毛案内要素５１の断面と実質的に一致する、前記断面における外部切断部材１９の多数の隣接する毛案内要素５１も示している。毛切断体５３の第１及び第２の毛切断要素６７、７１の共通断面を構成する図６Ａ及び図６Ｂの断面において、第１及び第２の毛切断要素６７、７１の第１及び第２の切断エッジ６９、７３は、回転軸２９に対して垂直に延びる仮想平面８７内に位置している。仮想平面８７は、図５に示す仮想平面７７と実質的に一致する。その結果、毛切断体の第１及び第２の毛切断要素６７、７１は、回転軸２９についての内部切断部材２１の回転中に、毛案内要素５１の内面セグメント５７と滑り接触する。
【００４１】
図６Ａ及び図６Ｂにおいて、毛案内要素５１は、シェービングデバイス１の使用中にユーザの皮膚８３と圧力接触する。前記圧力接触の結果、皮膚８３は、毛案内要素５１の間の毛入口開口４９内に部分的に進入し、それによって、毛入口開口４９内に皮膚膨出部８５(皮膚バルジ)を形成する。図６Ａは、アクチュエータ３１の第１の動作状態を示しており、内部切断部材２１は、回転軸２９についての第１の回転方向Ｒ１において外部切断部材１９に対して回転するように駆動される。図６Ｂは、アクチュエータ３１の第２の動作状態を示しており、内部切断部材２１は、第１の回転方向Ｒ１とは反対の第２の回転方向Ｒ２において回転するように駆動される。
【００４２】
図６Ａに示すような第１の回転方向Ｒ１における内部切断部材２１の回転中に、毛切断体５３の第１の切断エッジ６９は、毛案内要素５１の第１の切断エッジ６３と共働する。本明細書で前述したように、毛案内要素５１の第１の断面積部分Ａ１は、（図６Ａにおいてｔ１によって概略的に示す）比較的小さな平均的な厚さを有するので、皮膚８３は、毛案内要素５１の第１の切断エッジ６３の場所で毛進入開口４９内に比較的大きな距離に亘って膨らむ(bulges)。その結果、毛進入開口４９に進入する毛８９は、毛切断体５３の第１の切断エッジ６９及び毛案内要素５１の第１の切断エッジ６３によって、皮膚８３の表面に比較的近い位置において切断される。図６Ｂに示すような第２の回転方向Ｒ２における内部切断部材２１の回転中に、毛切断体５３の第２の切断エッジ７３は、毛案内要素５１の第２の切断エッジ６５と共働する。本明細書で前述したように、毛案内要素５１の第２の断面積部分Ａ２は、（図６Ｂにおいてｔ２によって概略的に示す）比較的大きな平均的な厚さを有するので、皮膚８３は、毛案内要素５１の第２の切断エッジ６５の場所で毛進入開口４９内に比較的小さな距離に亘って膨らむ。その結果、毛進入開口４９に進入する毛９１は、毛切断体５３の第２の切断エッジ７３及び毛案内要素５１の第２の切断エッジ６５によって、（図６Ａと比較して）皮膚８３の表面に余り近くない位置において切断される。その結果、内部切断部材２１が第１の回転方向Ｒ１において回転するアクチュエータ３１の第１の動作状態では、比較的滑らかで長持ちするシェービング結果が達成されるが、回転する内部切断部材２１の第１の切断エッジ６９に比較的近い皮膚の位置の故に、皮膚刺激のリスクは増大する。反対に、内部切断部材２１が第２の回転方向Ｒ２において回転するアクチュエータ３１の第２の動作状態では、余り滑らかなシェービング結果は達成されないが、皮膚刺激のリスクは比較的低く、皮膚快適性のレベルは、第１の動作状態と比較して比較的高い。よって、第１及び第２の動作条件の間を選択することによって、すなわち、内部切断部材２１の２つの対向する回転方向Ｒ１及びＲ２の間を選択することによって、ユーザは、比較的低い程度の皮膚快適性を伴う比較的滑らかで長持ちするシェービング結果と比較的高い程度の皮膚快適性を伴う余り滑らかでないシェービング結果との間を選択することができる。
【００４３】
好ましくは、各毛案内要素５１の第１の断面積部分Ａ１は、総断面積ＡＴの３０％〜４５％の間である。そのような好ましい実施態様において、第１及び第２の断面積部分Ａ１及びＡ２の平均的な厚さの間の比ｔ１／ｔ２は、４２．９％（３０／７０）〜８１．８％（４５／５５）の間である。この範囲の比ｔ１／ｔ２は、シェービング結果の近接度と皮膚の快適性との間のバランスに関して、第１及び第２の回転方向Ｒ１、Ｒ２の間の最適な差をもたらす。
【００４４】
図５の毛案内要素５１の断面に示すように、毛案内要素５１は、毛案内要素５１の第２の切断エッジ６５と仮想中間軸７９との間にある内面セグメント５７での最大厚さ位置９３で、内面セグメント５７に対して垂直な方向に測定された最大厚さｔＭＡＸを有する。この断面において、毛案内要素５１の厚さは、第１の切断エッジ６３から最大厚さ位置９３まで着実に増加し、最大厚さ位置９３から第２の切断エッジ６５まで着実に減少する。このようにして、本発明に従った毛案内要素５１の第１の断面積Ａ１と総断面積ＡＴとの間の比は、毛案内要素５１の単純な断面幾何学的形状によって達成される。図５の実施形態は、第１の切断エッジ６３から最大厚さ位置９３及び最大厚さ位置９３から第２の切断エッジ６５までのそれぞれの毛案内要素５１の厚さの多かれ少なかれ連続的な又は漸進的な増大及び減少を示すが、毛案内要素５１は、本発明に従った比Ａ１／ＡＴをもたらす代替的な厚さプロファイルを有してよい。厚さは、例えば、第１及び第２の断面積部分の部分に亘って一定であってよい。厚さは、例えば、徐々に増大又は減少する代わりに、段階的に増大又は減少してよい。
【００４５】
図４に更に示すように、毛案内要素５１は、Ａ１／ＡＴが、中心軸４３からの第１の距離Ｄ１から第１の距離Ｄ１よりも大きい中心軸４３からの第２の距離Ｄ２までの外部切断部材１９の中心軸４３に対する任意の半径方向位置において、本発明に従って４８％以下である、断面を有する。このようにして、図６Ａ及び図６Ｂを参照して記載したような内部切断部材２１の第１及び第２の回転方向Ｒ１及びＲ２についての異なる毛切断結果が、中心軸４３からの第１の距離Ｄ１から第２の距離Ｄ２まで毛案内要素５１上の任意の半径方向位置において達成される。図４の実施形態において、第１の距離Ｄ１と第２の距離Ｄ２との間の距離の範囲は、内部切断部材２１の第１及び第２の切断エッジ６９及び７３の半径方向の延伸に対応する。しかしながら、代替的な実施形態において、毛案内要素５１は、Ａ１／ＡＴが、中心軸４３に対する半径方向の位置の限定的な範囲においてのみ、本発明に従って４８％以下である、断面を有してよい。そのような代替的な実施形態において、毛案内要素は、他の半径方向位置において、Ａ１＝Ａ２＝０．５×ＡＴである、断面を有してよい。
【００４６】
図４において、毛案内要素５１は、中心軸４３に対して半径方向に主延伸を備える細長い形状を有する一方で、内面セグメント５７は、中心軸４３に対して垂直な仮想平面内に延びる。代替的な実施形態において、毛案内要素５１は、半径方向に対して斜めに延びてよく、或いは、例えば、Ｖ字形を有してよい。更なる代替的な実施形態において、毛案内要素５１の内面セグメント５７は、中心軸４３を通じて延びる半径方向断面に見られるときに湾曲してよい。そのような実施態様において、内部切断部材２１の第１及び第２の切断エッジ６９、７３は、対応する湾曲した形状を有する。
【００４７】
図４に容易に見ることができるように、中心軸４３からの第１及び第２の距離Ｄ１及びＤ２の半径方向位置における毛案内要素５１の総断面積ＡＴは、第１及び第２の距離Ｄ１及びＤ２の間の中心軸４３からの第３の距離Ｄ３での半径方向位置における毛案内要素５１の総断面積ＡＴよりも大きい。その結果、毛案内要素５１の断面は、２つの半径方向端部分の間の中央部分における毛案内要素５１の断面の平均的な厚さと比較して、その半径方向端部分において増大した平均的な厚さを有する。毛案内要素５１の半径方向端部分の前記増加した平均的な厚さは、図４に示すような中心軸４３からの第１及び第２の距離Ｄ１及びＤ２での内部切断部材２１の第１及び第２の切断エッジ６９、７３の鋭利な半径方向端部分９５との接触によって引き起こされることがある刺激及び損傷から皮膚を保護する。毛案内要素５１の半径方向端部分の増大した平均的な厚さは、毛案内要素５１の剛性も増大させる。具体的には、毛案内要素５１の平均的な厚さは、２つの半径方向端部分の間の毛案内要素５１の中央部分において更に減少させられてよい。図４に更に容易に見ることができるように、毛案内要素５１の総断面積ＡＴは、中心軸４３からの第１の距離Ｄ１での最大値から、中心軸４３からの第３の距離Ｄ３付近の毛案内要素５１の中心領域におけるその最小値まで漸進的に変化し、中心軸４３からの第３の距離Ｄ３付近の毛案内要素５１の中心領域におけるその最小値から中心軸４３からの第２の距離Ｄ２でのその最大値まで漸進的に変化する。
【００４８】
図６Ａに更に示すように、内部切断部材２１の毛切断体５３の第１の毛切断要素６７及び第２の毛切断要素７１は、内部切断部材２１の基部５５と一体的に形成された担持要素９７(carrying  element)に一体的に形成されている。担持要素９７は、上面９９を含む。図６Ａの断面において、上面９９は、第１の切断エッジ６９から第２の切断エッジ７３まで仮想平面８７内に延在する。外部切断部材１９に対する回転軸２９についての内部切断部材２１の回転中に、上面９９は、外部切断部材１９の環状切断トラック４１の環状内面４７と滑り接触する、すなわち、毛案内部材５１の内面セグメント５７と滑り接触する。担持要素９７は、第１の毛切断要素６７の第１の切断エッジ６９を介して上面９９に接続する第１の側面１０１を更に含む。担持要素９７は、第２の毛切断要素７１の第２の切断エッジ７３を介して上面９９に接続する第２の側面１０３を更に含む。
【００４９】
よって、図６Ａ及び図６Ｂの実施形態において、内部切断部材２１の第１及び第２の切断エッジ６９、７３は、担持要素９７の上面９９の対向するエッジに一体的に形成されており、第１及び第２の毛切断素子６７、７１は、担持要素９７の第１及び第２の上方部分によって形成されている。代替的な実施形態において、外部切断部材２１の毛案内要素５１の第１の切断エッジ６３と協働するために内部切断部材２１の第１の切断エッジを担持する第１の毛切断要素、及び毛案内要素５１の第１の切断エッジ６５と協働するために内部切断部材２１の第２の切断エッジを担持する第２の毛切断要素は、各々が内部切断部材２１の第１及び第２の切断エッジのそれぞれの１つを担持する、空間的に分離された担持要素によって形成されてよい。前記空間的に分離された担持要素は、内部切断部材２１の基部５５に取り付けられてよく、或いは一体的に形成されてよい。
【００５０】
図７は、本発明の毛切断ユニットの第２の実施形態について図６Ａ及び図６Ｂの断面に類似する断面を概略的に示している。図７において、図６Ａ及び図６Ｂに示す実施形態の構成に類似する第２の実施形態の構成は、類似の参照番号で示されている。以下では、第２の実施形態と図６Ａ及び図６Ｂに示す実施形態との間の相違のみを記載する。
【００５１】
図７に示す本発明に従った毛切断ユニットの第２の実施形態の断面において、担持要素９７の第１の側面１０１及び上面９９は、内部切断部材２１の第１の切断エッジ６９の場所で第１の最先端角度α１を取り囲む。この断面において、担持要素９７の第２の側面１０３及び上面９９は、内部切断部材２１の第２の切断エッジ７３の場所で第２の切断エッジ角α２を取り囲む。第１の切断エッジ角α１は、第２の切断エッジ角α２よりも小さい。内部切断部材２１の第１の切断エッジ６９での比較的小さな切断エッジ角α１は、内部切断部材２１が図７の右部分に例示するような第１の回転方向Ｒ１に回転しているときに、毛切断ユニットの切断効率を向上させる。比較的小さな切断エッジ角α１は、内部切断部材２１が第１の回転方向Ｒ１に回転しているときに、皮膚刺激のレベルを増加させることもある。内部切断部材２１の第２の切断エッジ７３での比較的大きな切断エッジ角α２は、皮膚刺激のリスクを減少させ、それによって、内部切断部材２１が図７の左部分に例示するような第２の回転方向Ｒ２に回転しているときに、毛切断ユニットの皮膚の快適性を向上させる。しかしながら、比較的大きな切断エッジ角α２は、内部切断部材２１が第２の回転方向Ｒ２に回転しているときに、毛切断効率を低下させることもある。よって、異なる切断エッジ角α１、α２は、一般的に、毛切断効率の間の差と内部切断部材２１の第１及び第２の回転方向Ｒ１及びＲ２についての皮膚快適性のレベルの間の差とを増大させる。
【００５２】
図８は、本発明に従った毛切断ユニットの第３の実施蹴板について図６Ａ、図６Ｂ及び図７の断面に類似する断面を概略的に示している。図８において、図６Ａ、図６Ｂ及び図７に示す実施形態の構成に類似する第３の実施形態の構成は、類似の参照番号で示されている。以下では、第３の実施形態と図７に示す実施形態との間の相違のみを記載する。
【００５３】
図７に示す第２の実施形態と同様に、図８に示す本発明に従った毛切断ユニットの第３の実施形態の断面において、担持要素９７の第１の側面１０１及び上面９９は、内部切断部材２１の第１の切断エッジ６９の場所で第１の切断エッジ角α１を取り囲み、担持要素９７の第２の側面１０３及び上面９９は、内部切断部材２１の第２の切断エッジ７３の場所で第２の切断エッジ角α２を取り囲み、第１の切断エッジ角α１は、第２の切断エッジ角α２よりも小さい。第３の実施形態において、内部切断部材２１は、毛切断体５３の第１の切断エッジ６９と協働するために、第１の回転方向Ｒ１において見られるときに、各担持要素９７の前に配置される、毛収縮要素１０５(hair-retention  element)を更に含む。そのような毛収縮素子１０５の構造及び機能、並びにそのような毛収縮素子１０５を内部切断部材２１に組み込む方法は、当業者に知られており、詳細は記載されない。例えば、類似の毛収縮又は毛引張(hair-pulling)要素を含む毛切断ユニットを詳細に記載する特許文献４を参照のこと。毛収縮要素１０５は、担持要素９７から離れたその側に切断エッジ１０９を有する端面１０７を含む。毛収縮要素１０５は、担持要素９７の第１の側面１０１に沿って担持要素９７に対して移動可能に案内される。更に、毛収縮要素１０５は、バネ力によって、外部切断部材１９の環状毛切断トラック４１の環状内面４７に向かって、すなわち、毛案内要素５１の内面セグメント５７に向かって付勢される。本明細書で前述したような毛収縮要素１０５の案内及び付勢を可能にする構造的な詳細は、特許文献４に記載されるものと類似してよい。
【００５４】
図８の右部分に例示するような第１の回転方向Ｒ１における内部切断部材２１の回転中に、毛進入開口４９に進入する毛８９は、先ず、毛収縮要素１０５の切断エッジ１０９によって捕捉される。切断エッジ１０９は、毛８９を部分的にのみ貫通し、その結果、担持要素９７の更なる回転中に、皮膚８３から特定の距離に亘って毛８９を引き出す(extract)。図８の右部分において、毛収縮要素１０５は、皮膚８３から毛８９を引き出した後の収縮位置において示されているのに対し、図８の左部分は、毛を捕捉する前のその休止位置における毛収縮要素１０５を示している。引き続き、毛８９は、担持要素９７の第１の切断エッジ６９と毛案内要素５１の第１の切断エッジ６３との間の協働によって切断される。毛８９は、最初に、毛収縮要素１０５によって皮膚から引き出されたので、毛８９は、切断された後に再び皮膚内に収縮する。その結果、毛８９が切断される切断位置ＰＣも、皮膚の表面に近いか或いは皮膚の表面より下でさえある位置に収縮するので、内部切断部材２１の第１の切断エッジ６９での切断プロセスの近接性が更に改良される。何故ならば、図８の左部分に例示するような第２の回転方向Ｒ２における内部切断部材２１の回転中に、毛収縮要素１０５は、内部切断部材２１の第２の切断エッジ７３での毛切断プロセスに影響を及ぼさず、毛収縮要素１０５は、内部切断部材２１の第１及び第２の回転方向Ｒ１及びＲ２についての毛切断効率の間の差を増加させるからである。
【先行技術文献】
【特許文献】
【００５５】
【特許文献１】特開２０１５−２２３３１５号公報
【特許文献２】欧州特許出願公開第０２７９０８８Ａ１号明細書
【特許文献３】欧州特許出願公開第１６９０６５４Ａ１号明細書
【特許文献４】欧州特許第１２１２１７６Ｂ号明細書
【図１】
2021522007.tif 000003
【図２】
2021522007.tif 000004
【図３】
2021522007.tif 000005
【図４】
2021522007.tif 000006
【図５】
2021522007.tif 000007
【図６Ａ】
2021522007.tif 000008
【図６Ｂ】
2021522007.tif 000009
【図７】
2021522007.tif 000010
【図８】
2021522007.tif 000011
【手続補正書】
【提出日】令和2年11月5日(2020.11.5)
【手続補正１】
【補正対象書類名】特許請求の範囲
【補正対象項目名】全文
【補正方法】変更
【補正の内容】
【特許請求の範囲】
【請求項１】
シェービングデバイスにおける使用のための毛切断ユニットであって、
−  外部切断部材と、第１の回転方向において並びに該第１の回転方向とは反対の第２の回転方向において回転軸について前記外部切断部材に対して回転可能な内部切断部材とを含み、
−  該内部切断部材は、少なくとも、第１の切断エッジを含む第１の毛切断要素と、第２の切断エッジを含む第２の毛切断要素とを含み、
−  前記回転軸に対する半径方向に対して垂直に延びる前記第１及び第２の毛切断要素の共通の断面において、前記第１及び第２の毛切断要素の前記第１及び第２の切断エッジは、前記回転軸に対して垂直な仮想平面内に位置し、
前記外部切断部材は、環状毛切断トラックを含み、該環状毛切断トラックは、
−  使用中にユーザの皮膚と接触する外面と、
−  使用中に前記毛切断ユニットの内部切断部材と接触する内面と、
−  中心軸と、
−  各毛進入開口が前記外面から前記内面に延びる、複数の毛進入開口と、
−  該複数の毛進入開口の第１の毛進入開口と隣接する第２の毛進入開口との間に配置される毛案内要素とを有し、
該毛案内要素は、
−  前記外面によって構成される外面セグメントと、
−  前記内面によって構成される内面セグメントと、
−  前記第１の毛進入開口を境界付ける第１の側面と、
−  前記第２の毛進入開口を境界付ける第２の側面と、
−  前記第１の側面が前記内面セグメントに接続する場所にある第１の切断エッジと、
−  前記第２の側面が前記内面セグメントに接続する場所にある第２の切断エッジとを含み、
−  前記内部切断部材の前記第１の毛切断要素の前記第１の切断エッジは、前記第１の回転方向における前記内部切断部材の回転中に、前記外部切断部材の前記毛案内要素の前記第１の切断エッジと協働するように構成され、
−  前記内部切断部材の前記第２の毛切断要素の前記第２の切断エッジは、前記第２の回転方向における前記内部切断部材の回転中に、前記外部切断部材の前記毛案内要素の前記第２の切断エッジと協働するように構成され、
前記中心軸に対する半径方向に対して垂直に延びる前記毛案内要素の断面において、
−  前記内面セグメントは、前記中心軸に対して垂直な仮想平面内で前記第１及び第２の切断エッジの間に延び、
−  前記毛案内要素は、前記第１及び第２の切断エッジの間の中間の交点において前記内面セグメントと交差し、前記毛案内要素の総断面積を前記第１の切断エッジを含む第１の断面積部分と前記第２の切断エッジを含む第２の断面積部分とに分割する、前記内面セグメントに対して垂直に延びる仮想中間軸を有し、前記総断面積は、前記第１の断面積部分と前記第２の断面積部分との合計であり、
前記毛案内要素の前記第１の断面積部分は、前記毛案内要素の前記総断面積の４８％以下であることを特徴とする、
毛切断ユニット。
【請求項２】
前記第１の断面積部分は、前記総断面積の３０％〜４５％の間である、請求項１に記載の毛切断ユニット。
【請求項３】
毛案内要素が、前記複数の毛進入開口の隣接する毛切断ユニット外部切断部材。
【請求項４】
前記毛案内要素の前記断面において、前記内面セグメントに対して垂直な方向において測定される前記毛案内要素の厚さが、前記仮想中間軸と前記第２の切断エッジとの間の最大厚さ位置で最大値を有し、前記厚さは、前記第１の切断エッジから前記最大厚さ位置まで増大し、前記最大厚さ位置から前記第２の切断エッジまで減少する、請求項１乃至３のうちのいずれか１項に記載の毛切断ユニット。
【請求項５】
前記毛案内要素は、前記中心軸からの第１の距離から該第１の距離とは異なる前記中心軸からの第２の距離までの任意の位置において前記半径方向に対して垂直な断面において前記第１の断面積部分と前記第２の断面積部分とを有する、請求項１乃至４のうちのいずれか１項に記載の毛切断ユニット。
【請求項６】
前記中心軸からの前記第１及び第２の距離にある位置において、前記毛案内要素の前記総断面積は、前記第１及び第２の距離の間の前記中心軸からの第３の距離にある位置における前記毛案内要素の前記総断面積よりも大きい、請求項５に記載の毛切断ユニット。
【請求項７】
前記毛案内要素の前記総断面積は、前記中心軸からの前記第１及び第２の距離の間で漸進的に変化する、請求項６に記載の毛切断ユニット。
【請求項８】
前記内部切断部材の前記第１及び第２の毛切断要素は、担持要素に一体的に形成され、該担持要素は、
−  使用中に前記外部切断部材の前記内面と接触する上面と、
−  前記第１の毛切断要素の前記第１の切断エッジを介して前記上面に接続される第１の側面と、
−  前記第２の毛切断要素の前記第２の切断エッジを介して前記上面に接続される第２の側面とを含み、
前記第１及び第２の毛切断要素の前記共通の断面において、前記上面は、前記回転軸に対して垂直な前記仮想平面内に延びる、
請求項１乃至７のうちのいずれか１項に記載の毛切断ユニット。
【請求項９】
前記第１及び第２の毛切断要素の前記共通の断面において、前記担持要素の前記第１の側面及び前記上面は、前記第１の毛切断要素の前記第１の切断エッジの場所で第１の切断エッジ角を囲み、前記担持要素の前記第２の側面及び前記上面は、前記第２の毛切断要素の前記第２の切断エッジの場所で第２の切断エッジ角を囲み、前記第１の切断エッジ角は、前記第２の切断エッジ角よりも小さい、請求項８に記載の毛切断ユニット。
【請求項１０】
前記内部切断部材は、前記第１の毛切断要素の前記第１の切断エッジとの協働のために前記第１の回転方向において見られるときに前記担持要素の前に配置される毛収縮要素を更に含み、
該毛収縮要素は、
−  端面を含み、該端面は、前記担持要素から離れた該端面の側に切断エッジを有し、
−  前記担持要素の前記第１の側面に沿って前記担持要素に対して移動可能に案内され、
−  前記外部切断部材の前記内面に向かってバネ力によって付勢される、
請求項８又は９に記載の毛切断ユニット。
【請求項１１】
シェービングヘッドであって、
−  当該シェービングヘッドをシェービングデバイスの本体に解放可能に連結するように構成される連結部材を含む支持構造と、
−  該支持構造によって支持される請求項１乃至１０のうちのいずれか１項に記載の少なくとも１つの毛切断ユニットとを含む、
シェービングヘッド。
【請求項１２】
−  請求項１乃至１０のうちのいずれか１項に記載の少なくとも１つの毛切断ユニットと、
−  該毛切断ユニットを駆動させるアクチュエータとを含み、
該アクチュエータは、
−  第１の動作状態において作動し、該第１の動作状態において、前記アクチュエータは、前記内部切断部材が前記第１の回転方向において前記外部切断部材に対して回転するように、前記毛切断ユニットを駆動させ、
−  第２の動作状態において作動し、該第２の動作状態において、前記アクチュエータは、前記内部切断部材が前記第２の回転方向において前記外部切断部材に対して回転するように、前記毛切断ユニットを駆動させる、
ように構成され且つ配置される、
シェービングデバイス。
【請求項１３】
−  アクチュエータを収容する本体と、
−  該アクチュエータによって駆動させられるために前記本体に解放可能に連結可能な請求項１１に記載のシェービングヘッドとを含み、
前記アクチュエータは、
−  第１の動作状態において作動し、該第１の動作状態において、前記アクチュエータは、前記毛切断ユニットの前記内部切断部材が前記第１の回転方向において前記外部切断部材に対して回転するように、前記シェービングヘッドを駆動させ、
−  第２の動作状態において作動し、該第２の動作状態において、前記アクチュエータは、前記毛切断ユニットの前記内部切断部材が前記第２の回転方向において前記外部切断部材に対して回転するように、前記シェービングヘッドを駆動させる、
ように構成され且つ配置される、
シェービングデバイス。
【請求項１４】
前記第１又は第２の動作状態において作動するよう前記アクチュエータを選択的に制御するように構成され且つ配置される制御ユニットを更に含む、請求項１２又は１３に記載のシェービングデバイス。
【請求項１５】
前記ユーザが前記第１及び第２の動作状態を選択することを可能にするユーザ入力部材を更に含む、請求項１２乃至１４のうちのいずれか１項に記載のシェービングデバイス。
【手続補正２】
【補正対象書類名】明細書
【補正対象項目名】全文
【補正方法】変更
【補正の内容】
【発明の詳細な説明】
【技術分野】
【０００１】
本発明は、更に、シェービングユニットにおける使用のための毛切断ユニットに関し、毛切断ユニットは、外部切断部材と、第１の回転方向及び第１の回転方向とは反対の第２の回転方向において回転軸について外部切断部材に対して回転可能な内部切断部材とを含む。外部切断部材は、少なくとも、第１の切断エッジを含む第１の毛切断要素と、第２の切断エッジを含む第２の毛切断要素とを含み、回転軸に対する半径方向に対して垂直に延びる第１及び第２の毛切断要素の共通の断面において、第１及び第２の毛切断要素の第１及び第２の切断エッジは、回転軸に対して垂直な仮想平面内に位置する。外部切断部材は、使用中にユーザの皮膚と接触する外面と、使用中に毛切断ユニットの内部切断部材と接触する内面と、中心軸と、各毛進入開口が外面から内面に延びる、複数の毛進入開口と、複数の毛進入開口の第１の毛進入開口と隣接する第２の毛進入開口との間に配置される毛案内要素とを有する。毛案内要素は、外面によって構成される外面セグメントと、内面によって構成される内面セグメントと、第１の毛進入開口を境界付ける第１の側面と、第２の毛進入開口を境界付ける第２の側面と、第１の側面が内面セグメントに接続する場所にある第１の切断エッジと、第２の側面が内面セグメントに接続する場所にある第２の切断エッジとを含む。中心軸に対する半径方向に対して垂直に延びる毛案内要素の断面において、内面セグメントは、中心軸に対して垂直な仮想平面内で第１及び第２の切断エッジの間に延びる。内部切断部材の第１の毛切断要素の第１の切断エッジは、第１の回転方向における内部切断部材の回転中に外部切断部材の毛案内要素の第１の切断エッジと協働するように構成され、内部切断部材の第２の毛切断要素の第２の切断エッジは、第２の回転方向における内部切断部材の回転中に外部切断部材の毛案内要素の前記第２の切断エッジと協働するように構成される。
【０００２】
本発明は、更に、シェービングヘッドであって、シェービングヘッドをシェービングデバイスの本体に解放可能に連結するように構成される連結部材を含む支持構造と、支持構造によって支持される本明細書で前述のような少なくとも１つの毛切断ユニットとを含む、シェービングヘッドに更に関する。
【０００３】
本発明は、更に、本明細書で前述のような少なくとも１つの毛切断ユニットと、毛切断ユニットを駆動するアクチュエータとを含み、アクチュエータは、内部切断部材が第１の回転方向において外部切断部材に対して回転するように、アクチュエータが毛切断ユニットを駆動させる、第１の動作状態において作動し、内部切断部材が第２の回転方向において外部切断部材に対して回転するように、アクチュエータが毛切断ユニットを駆動させる、第２の動作状態において作動する、ように構成され且つ配置される、シェービングデバイスに関する。
【０００４】
本発明は、更に、アクチュエータを収容する本体と、アクチュエータによって駆動されるために本体に解放可能に連結可能な本明細書で前述のようなシェービングヘッドとを含み、アクチュエータは、毛切断ユニットの内部切断部材が第１の回転方向において外部切断部材に対して回転するように、前記アクチュエータがシェービングヘッドを駆動させる、第１の動作状態において作動し、毛切断ユニットの内部切断部材が第２の回転方向において外部切断部材に対して回転するように、アクチュエータがシェービングヘッドを駆動させる、第２の動作状態において作動する、ように構成され且つ配置される、シェービングデバイスに関する。
【背景技術】
【０００５】
回転型の電気シェービングデバイスは、よく知られている。そのようなシェービングデバイスは、通常、各々が、複数の毛進入開口を含む環状毛切断トラックを有する外部切断部材と、外部切断部材の環状毛切断トラックと協働するために環状構成に配置された複数の毛切断要素を有する内部切断部材とを含む、２つ又は３つの毛切断ユニットを有する。通常、そのようなシェービングデバイスは、各毛切断ユニットの内部切断部材を単一の回転方向においてのみ外部切断部材に対して回転させることができるように構成される。そのような構成において、内部切断部材の毛切断要素は、前記単一の回転方向における外部切断に対する内部切断部材の回転中に毛進入開口にある外部切断部材の環状毛切断トラックに設けられた対向切断エッジ(カウンタ切断エッジ)と協働するように配置された切断エッジを有する。
【０００６】
「技術分野」欄に記載した種類の毛切断ユニット及びシェービングデバイスは、特許文献１から知られている。この知られているシェービングデバイスのユーザは、外部切断部材に対する毛切断ユニットの内部切断部材の回転方向を選択することができる。第１の回転方向における内部切断部材の回転中、内部切断部材の第１の切断エッジは、外部切断部材の環状毛切断トラックに設けられた第１の切断エッジと共働する一方で、第１の回転方向とは反対の第２の回転方向における内部切断部材の回転中、内部切断部材の第２の切断エッジは、外部切断部材の環状毛切断トラックに設けられた第２の切断エッジと共働する。知られているシェービングデバイスでは、内部切断部材の第１及び第２の切断エッジのペアが、内部切断部材の複数の毛切断要素の各々の毛切断要素の上面の２つの対向するエッジに設けられ、前記上面は、使用中、外部切断部材の環状毛切断トラックの内面とすべり接触する。外部切断部材の環状毛切断トラックの第１及び第２の切断エッジのペアは、環状毛切断トラックの隣接する毛進入開口のペアのそれぞれの１つの間にそれぞれ配置される、環状毛切断トラックの複数の毛案内要素の各々の毛案内要素の内面セグメントの対向エッジに設けられ、前記内面セグメントは、環状毛切断トラックの内面によって構成される。内部切断部材の第１及び第２の切断エッジは、毛切断要素のウェッジ形状端部分に設けられる。第１の切断エッジを有するウェッジ形状端部分のウェッジ角は、第２の切断エッジを有するウェッジ形状端部分のウェッジ角よりも小さいので、内部切断部材の第１の切断エッジは、内部切断部材の第２の切断エッジよりも鋭利である。その結果、内部切断部材の第１の回転方向を選択するとき、知られているシェービングデバイスは、比較的高い毛切断効率を提供するが比較的低い皮膚快適性を提供する第１のモードで作動するが、内部切断部材の第２の回転方向を選択するとき、知られているシェービングデバイスはより低い毛切断効率を提供するがより高い皮膚快適性を提供する第２のモードで作動する。よって、ユーザは、シェービングデバイスの前記第１及び第２の動作モードのうちの好ましいものを選択するオプションを有する。しかしながら、この知られているシェービングデバイスの問題は、内部切断部材の第１及び第２の切断エッジの異なるウェッジ角にも拘わらず、第１及び第２の動作モードによって提供されるシェービング結果の差が比較的小さいことである。
【０００７】
特許文献２は、外部切断部材と、外部切断部材に対して単一の回転方向においてのみ回転させることができる内部切断部材とを備える、毛切断ユニットを開示している。外部切断部材は、ダムと呼ばれる毛案内要素によって分離された複数の毛進入開口を含む。ダムは、断面が非対称であり、回転方向に増加する厚さを有する、プロファイルを有する。
【０００８】
特許文献３は、外部切断部材と、外部切断部材に対して回転させることができる内部切断部材とを備える、毛切断ユニットを開示している。外部切断部材は、リブと呼ばれる毛案内要素によって分離された複数の毛進入開口を含む。リブの側壁表面の下端に形成された切断エッジは鋭角を有する。第１の実施形態では、各リブの２つの側壁表面は、平行で傾斜しているので、鋭角の切断エッジが、内部切断部材の回転方向とは反対方向に面する２つの側壁表面のうちの１つの側壁表面のみの下端に形成されている。第２の実施形態において、リブは、対称的な断面を有し、鋭角の切断エッジが、各リブの２つの側壁表面の各々の側壁表面の下端に形成されている。
【発明の概要】
【発明が解決しようとする課題】
【０００９】
本発明の目的は、第１及び第２の回転方向における内部切断部材の回転中に達成されるシェービング結果の間の差の増大、特に毛切断プロセスの近接性(closeness)と皮膚快適性との間の差の増大をもたらす、「本発明の分野」欄に記載される種類の毛切断ユニット、シェービングヘッド及びシェービングデバイスを提供することである。
【課題を解決するための手段】
【００１０】
前記目的を達成するために、本発明によれば、「技術分野」欄に記載のタイプの毛切断ユニットが、中心軸に対する半径方向に対して垂直に延びる外部切断部材の毛案内要素の断面において、毛案内要素は、第１の切断エッジと第２の切断エッジとの間の中間の交点において内面セグメントと交差し、毛案内要素の総断面積を第１の切断エッジを含む第１の断面積部分と第２の切断エッジを含む第２の断面積部分とに分割する、内面セグメントに対して垂直に延びる仮想中間軸を有し、総断面積は、第１の断面積部分と第２の断面積部分との合計であり、毛案内要素の第１の断面積部分は、毛案内要素の総断面積の４８％以下であることによって特徴付けられる。
【００１１】
本発明の観点から、「切断エッジ(cutting  edge)」という用語は、対向切断エッジと協働して毛を切断することを可能にする曲率半径を有するエッジ(縁)として解釈されるべきである。特に、切断エッジの曲率半径は、３０マイクロメートル以下、より好ましくは、２０マイクロメートル以下、最も好ましくは、１５マイクロメートル以下である。本発明に従った毛切断ユニットは、外部切断部材の環状切断トラックの中心軸と実質的に一致する回転軸について相互に対向する第１及び第２の回転方向において外部切断部材に対して回転可能な内部切断部材を含む。特に、内部切断部材は、外部切断部材の中心軸についての内部切断部材の回転中に環状切断トラックの内面と滑り接触する、複数の毛切断要素を有する。特に、内部切断部材の毛切断要素は、第１の回転方向における内部切断部材の回転中に外部切断部材の毛案内要素の第１の切断エッジと協働するための第１の切断エッジと、第２の回転方向における内部切断部材の回転中に毛案内要素の第２の切断エッジと協働するための第２の切断エッジとを有する。毛切断要素と、外部切断部材の第１及び第２の切断エッジを含む毛案内要素の内面セグメントとの間の、内部切断部材の回転中の、適切な接触を可能にするために、内面セグメントは、毛案内要素の前記断面において見られるときに、中心軸に対して垂直な仮想平面内に延在する。
【００１２】
本発明によれば、毛案内要素の第１の断面積部分は、毛案内要素の総断面積の４８％以下であるので、第１の切断エッジを含む第１の断面積部分は、第２の切断エッジを含む毛案内要素の第２の断面積部分の平均的な厚さよりも小さい、内面セグメントに対して垂直な方向に測定される平均的な厚さを有する。特に、第１の断面積部分の平均的な厚さは、第２の断面積部分の平均的な厚さの９２．３％（４８／５２）以下である。その結果、毛案内要素によってユーザの皮膚に対して使用中に加えられる局所的な圧力の影響の下で、皮膚は、毛案内要素の第２の側面によって境界付けられる毛進入開口と比較してより大きい程度まで、毛案内要素の第１の側面によって境界付けられる毛進入開口に進入する。その結果、皮膚は、毛案内要素の第２の切断エッジよりも毛案内要素の第１の切断エッジにより近い。その結果、内部切断部材が第１の回転方向において回転させられ、毛切断が毛案内要素の第１の切断エッジで行われるとき、毛は皮膚に比較的近い位置で切断されるので、比較的滑らかで長持ちするシェービング結果が達成される。しかしながら、この第１の動作モードでは、第１の切断エッジに対して比較的近い皮膚の位置の故に、皮膚刺激のリスクは増大する。他方、内部切断部材が第２の回転方向に回転させられ、毛切断が毛案内部材の第２の切断エッジで行われるとき、毛は皮膚に余り近くない位置において切断されるので、余り滑らかでないシェービング結果が達成される。この第２の動作モードでは、第１の動作モードと比較して、皮膚刺激のリスクは比較的小さく、皮膚快適性のレベルは相当に増加する。よって、毛案内要素の第１及び第２の断面積部分の平均的な厚さの前記差は、シェービングプロセスの近接性(closeness)とシェービングデバイスの第１及び第２の動作モードにおける皮膚の快適性との間のバランスに相当な差をもたらし、よって、２つの極めて別個の動作モードの間で選択するオプションをユーザに提供する。
【００１３】
本発明に従った毛切断ユニットの好ましい実施形態において、第１の断面積部分は、総断面積の３０％〜４５％である。この好ましい実施形態において、第１の断面積部分の平均的な厚さは、第２の断面積部分の平均的な厚さの４２．９％（３０／７０）〜８１．８％（４５／５５）の間である。これらの比率は、内部切断部材が第１又は第２の回転方向のいずれかにおいて回転する、本発明に従った毛切断ユニットの使用から生じる、シェービングプロセスの近接性と皮膚の快適性との間のバランスにおける最適な差をもたらす。
【００１４】
本発明に従った毛切断ユニットの更なる実施形態では、毛案内要素が、複数の毛進入開口の隣接する毛進入開口の各ペアの間に配置される。この実施形態では、第１の切断エッジ及び第２の切断エッジを含み、本発明に従った第１の断面積部分及び第２の断面積部分を含む、毛案内要素が、外部切断部材の複数の毛進入開口の隣接する毛進入開口の各ペアの間に配置される。このようにして、毛案内要素の第１及び第２の切断エッジで達成される毛切断結果の間の差は、最大可能な範囲で説明されるようにされる。
【００１５】
本発明に従った毛切断ユニットの更なる実施形態では、毛案内要素の断面において、内面セグメントに対して垂直な方向において測定される前記毛案内要素の厚さが、仮想中間軸と第２の切断エッジとの間の最大厚さ位置で最大値を有し、厚さは、第１の切断エッジから最大厚さ位置に増大し、最大厚さ位置から第２の切断エッジに減少する。このようにして、本発明に従った毛案内要素の第１の断面積部分と総断面積との間の比が、毛案内要素の断面の単純な幾何学的形状によって達成される。更に、毛案内要素の第１及び第２の切断エッジでの毛進入開口への皮膚進入の程度の間で相当な差が達成される。毛案内要素の厚さは、第１の切断エッジから最大厚さ位置まで連続的に又は漸進的に増加してよく、最大厚さ位置から第２の切断エッジまで連続的又は漸進的に減少してよい。代替的に、毛案内要素の厚さは、第１又は第２の断面積部分の一部に亘って一定であってよい。
【００１６】
本発明に従った毛切断ユニットの更に好ましい実施形態において、毛案内要素は、中心軸からの第１の距離から第１の距離と異なる中心軸からの第２の距離までの任意の位置において半径方向に対して垂直な断面において第１の断面積部分及び第２の断面積部分を有する。この実施形態において、毛案内要素は、中心軸に対する半径方向に主延伸を備える細長い形状を有してよい。代替的に、毛案内要素は、半径方向において部分的に細長くてよい。この実施形態では、第１及び第２の距離の間の中心軸からの距離の範囲内で、半径方向に対して垂直な毛案内要素の任意の断面は、本発明に従った第１の断面積部分と総断面積との間の比を有する。これは、毛案内要素の第１及び第２の切断エッジで達成される毛切断結果の間の差が、中心軸からの全範囲の距離に亘って説明されるようになることを可能にする。特に、前記距離の範囲は、内部切断部材の協働する切断エッジの半径方向延伸に対応してよい。
【００１７】
本発明に従った毛切断ユニットの一層更なる好ましい実施形態では、中心軸から第１及び第２の距離にある位置において、毛案内要素の総断面積は、第１及び第２の距離の間の中心軸からの第３の距離にある位置において毛案内要素の前記総断面積よりも大きい。この実施形態は、外部切断部材と協働する内部切断部材の切断エッジが、中心軸からの前記第１の距離から前記第２の距離まで前記中心軸に対して半径方向に延びるときに特に有利である。中心軸からの前記第１及び第２の距離に存在する、内部切断部材の切断エッジの端部分による皮膚損傷のリスクは、内部切断部材の回転中に比較的高い。中心軸からの前記第１及び第２の距離での毛案内要素のより大きな断面積は、前記第１及び第２の距離の間の毛案内要素の中央部分と比較してより大きな前記第１及び第２の距離での毛案内要素の平均的な厚さをもたらす。前記より大きな平均厚さは、中心軸からの前記第１及び第２の距離での毛入口開口内への皮膚の進入の程度を減少させ、それによって、回転する内部切断部材の切断エッジの端部分によって引き起こされるあらゆる潜在的な損傷の増大から皮膚を保護する。加えて、前記第１及び第２の距離での毛案内要素の前記より大きな平均的な厚さは、毛案内要素の剛性を増加させる。この実施形態において、毛案内要素の総断面積は、中心軸からの前記第１の距離から前記第２の距離まで連続的に又は漸進的に変化してよい。特に、毛案内要素の総断面積は、中心軸からの前記第１の距離に存在する最大値から前記第３の距離に存在する最小値まで連続的に又は漸進的に減少してよく、前記中心軸からの前記第３の距離に存在する前記最小値から前記第２の距離に存在する前記最大値まで連続的に又は漸進的に増大してよい。
【００１８】
本発明によれば、第１の回転方向における内部切断部材の回転中に外部切断部材の毛案内要素の第１の切断エッジと協働するように構成された内部切断部材の第１の切断エッジを含む第１の毛切断要素、及び第２の回転方向における内部切断部材の回転中に外部切断部材の毛案内要素の第２の切断エッジと協働するように構成された内部切断部材の第２の切断エッジを含む第２の毛切断要素は、各担持要素が端部分に、特に端部分の上面に、内部切断部材の第１及び第２の切断エッジのそれぞれ１つを担持する、２つの空間的に分離された担持要素によって具現されてよい。２つの空間的に分離された担持要素は、内部切断部材の基部に取り付けられてよく或いは一体的に形成されてよい。代替的に、第１及び第２の毛切断要素は、内部切断部材の基部に取り付けられるか或いは一体的に形成される共通の担持要素によって支持されてよい。内部切断部材の回転中に、内部切断部材の第１及び第２の毛切断要素と外部切断部材の第１及び第２の切断エッジを含む毛案内要素の内面セグメントとの間の適切な接触を可能にするために、第１及び第２の毛切断要素の第１及び第２の切断エッジは、回転軸に対する半径方向に対して垂直に延びる第１及び第２の毛切断要素の共通の断面において見られるときに、回転軸に対して垂直な仮想平面内に位置する。
【００１９】
本発明に従った毛切断ユニットの好ましい実施形態において、内部切断部材の第１及び第２の毛切断要素は、使用中に外部切断部材の内面と接触するための上面と、第１の毛切断要素の第１の切断エッジを介して上面に接続される第１の側面と、第２の毛切断要素の第２の切断エッジを介して上面に接続される第２の側面とを含む、担持要素に一体的に形成され、第１及び第２の毛切断要素の前記共通の断面において、上面は、回転軸に対して垂直な前記想定平面内に延びる。この実施形態において、内部切断部材の第１の及び第２の切断エッジは、前記担持要素の前記上面の対向するエッジに一体的に形成される。この実施形態において、第１の毛切断要素は、第１の切断要素を含む前記担持要素の第１の上方部分を構成してよく、第２の毛切断要素は、第２の切断要素を含む前記担持要素の第２の上方部分を構成してよい。前記担持要素は、内部切断部材の基部に取り付けられるか或いは一体的に形成されてよい。内部切断部材は、各担持要素が、その上面に第１及び第２の切断エッジを備える、複数のそのような担持要素を含んでよい。
【００２０】
本発明に従った毛切断ユニットの更なる実施形態では、第１及び第２の毛切断要素の前記共通の断面において、担持要素の第１の側面及び上面は、第１の毛切断要素の第１の切断エッジの場所で第１の切断エッジ角を囲み、担持要素の第２の側面及び上面は、第２の毛切断要素の第２の切断エッジの場所で第２の切断エッジ角を囲み、第１切断エッジ角は、第２の切断エッジ角よりも小さい。第１の切断エッジの第１の切断エッジ角は、第２の切断エッジの第２の切断エッジ角よりも小さいので、第１の回転方向及び第２の回転方向においてそれぞれ回転する内部切断部材を用いた毛切断ユニットの毛切断効率の間の差及び皮膚快適性の程度の差が更に増大する。何故ならば、一般的に、切断エッジの切断エッジ角が減少すると、前記切断エッジでの毛切断効率は増大するが、前記切断エッジでの皮膚快適性のレベルは減少するからである。
【００２１】
本発明に従った毛切断ユニットの更なる実施形態において、内部切断部材は、第１の毛切断要素の第１の切断エッジとの協働のために第１の回転方向において見られるときに担持要素の前に配置される毛収縮要素を更に含み、毛収縮要素は、端面を含み、端面は、担持要素から離れた端面の側に切断エッジを有し、毛収縮要素は、担持要素の第１の側面に沿って担持要素に対して移動可能に案内され、毛収縮要素は、外部切断部材の内面に向かってバネ力によって付勢される。そのような毛収縮要素は、そのようなものとして知られており、更に、内部切断部材の第１の切断エッジでの毛切断プロセスの近接性を増大させる。動作中、第１の切断エッジによって切断されるべき毛は、先ず、毛収縮要素の切断エッジによって把持され、第１の切断エッジに対する毛収縮要素の収縮によって部分的に皮膚から引き出される。その結果、部分的に引き出された毛は、引き続き、毛収縮要素を使用しない毛切断プロセスと比較して、皮膚により近い位置で第１の切断エッジによって切断される。その結果、毛収縮素子は、第１の回転方向及び第２の回転方向にそれぞれ回転する内部切断部材を用いた毛切断ユニットの毛切断プロセスの近接性の間の差を更に増大させる。
【００２２】
本発明によれば、「技術分野」欄に記載したタイプのシェービングヘッドは、シェービングヘッドにおいて使用される毛切断ユニットが、本明細書において前述したような本発明に従った毛切断ユニットであることによって特徴付けられる。連結部材は、支持構造の底壁の中央に配置されてよく、支持構造に配置される伝動ユニットを介して複数の毛切断ユニットを駆動するように構成された単一の中央に配置された駆動シャフトを収容してよい。シェービングヘッドをシェービングデバイスの本体に連結することによって、シェービングヘッドの単一の駆動シャフトは、本体に配置されたモータによって駆動される本体の単一の駆動シャフトに連結されてよい。
【００２３】
本発明によれば、少なくとも１つの毛切断ユニットを含む「技術分野」欄に記載したタイプのシェービングデバイスは、シェービングデバイスにおいて使用される毛切断ユニットが本発明に従った毛切断ユニットであることによって特徴付けられる。毛切断ユニットを駆動させるアクチュエータは、２つの反対の回転方向に選択的に作動することができる電気回転モータであってよい。
【００２４】
本発明によれば、シェービングヘッドを含む「技術分野」に記載したタイプのシェービングデバイスは、シェービングデバイスにおいて使用されるシェービングヘッドが本発明に従ったシェービングヘッドであることによって特徴付けられる。シェービングヘッドを駆動させるアクチュエータは、シェービングデバイスの本体に収容され、２つの反対の回転方向に選択的に作動することができる電気回転モータであってよい。シェービングヘッドが本体に連結されるとき、電気モータは、シェービングヘッドの毛切断ユニットの内部切断部材を第１の回転方向又は第２の回転方向に選択的に駆動させてよい。
【００２５】
本発明に従ったシェービングデバイスの好ましい実施形態は、第１又は第２の動作状態において作動するようアクチュエータを選択的に制御するように構成及び配置された制御ユニットを更に含む。制御ユニットは、ユーザ入力に基づいてアクチュエータの動作状態を制御してよい。そのような実施形態において、シェービングデバイスは、ユーザが第１及び第２の動作条件を選択することを可能にするユーザ入力部材を更に含んでよい。代替的に、制御ユニットは、例えば、センサ入力又はソフトウェアに基づいて、アクチュエータの動作状態を自動的に制御してよい。
【００２６】
次に、本発明のより良い理解のために並びに本発明がどのように実施されることがあるかをより明確に示すために、添付の図面をほんの一例として参照する。
【図面の簡単な説明】
【００２７】
【図１】本発明に従ったシェービングデバイスの実施形態を示している。
【図２】図１のシェービングデバイスに用いられる本発明に従ったシェービングヘッドの実施形態を示している。
【図３】図２のシェービングヘッドに用いられる本発明に従った毛切断ユニットの第１の実施形態を示している。
【図４】図３の毛切断ユニットに用いられる外部切断部材の単一の毛案内要素及び図３の毛切断ユニットに用いられる内部切断部材の単一の毛切断体の概略的な斜視図である。
【図５】外部切断部材の中心軸に対する半径方向に対して垂直に延びる図４の毛案内要素の断面図を概略的に示している。
【図６Ａ】内部切断部材が第１の回転方向に回転する状態で、内部切断部材の回転軸に対する半径方向に対して垂直に延びる図４の毛切断体の断面図を概略的に示している。
【図６Ｂ】内部切断部材が第２の回転方向に回転する状態で、図６Ａの断面を概略的に示している。
【図７】本発明に従った毛切断ユニットの第２の実施形態における毛切断体及び毛案内要素の断面を概略的に示している。
【図８】本発明に従った毛切断ユニットの第３の実施形態における毛切断体及び毛案内要素の断面を概略的に示している。
【発明を実施するための形態】
【００２８】
図１は、本発明に従ったシェービングデバイス１の実施形態を示している。シェービングデバイス１は、動作中にユーザの手によって保持されるように設計された本体３を含む。シェービングデバイス１は、本発明に従ったシェービングヘッド５を更に含む。シェービングヘッド５は、図２に詳細に示されており、支持構造７(support  structure)と、支持構造７に解放可能に連結可能なシェービングユニット９とを含む。支持構造７は、中央に配置された連結部材１１を含み、シェービングヘッド５は、連結部材１１によって、本体３に解放可能に連結可能である。図１は、シェービングユニット９が支持構造７に連結され、シェービングヘッド５が本体３に連結された動作状態において、シェービングヘッド５を示している。図２は、シェービングヘッド５が本体３から解放され、シェービングユニット９が支持構造７から解放された状態において、シェービングヘッド５を示している。
【００２９】
シェービングヘッド５は、本発明に従った３つの毛切断ユニット１３ａ、１３ｂ、１３ｃを含む。シェービングヘッド５の動作状態において、毛切断ユニット１３ａ、１３ｂ、１３ｃは、シェービングユニット９の支持部材１５(supporting  member)によって支持されている。具体的には、毛切断ユニット１３ａ、１３ｂ、１３ｃは、シェービングユニット９の支持部材１５に枢動的に取り付けられた３つの皮膚支持部材１７ａ、１７ｂ、１７ｃのそれぞれ１つによって支持され、それぞれが毛切断ユニット１３ａ、１３ｂ、１３ｃのそれぞれ１つを取り囲んでいる。図３は、関連する皮膚支持部材１７ａを含む、毛切断ユニット１３ａを詳細に示している。毛切断ユニット１３ｂ、１３ｃは、毛切断ユニット１３ａと同一である。具体的には、図３は、毛切断ユニット１３ａを分解された状態で示している。毛切断ユニット１３ａは、外部切断部材１９と、内部切断部材２１と、保持部材２３とを含む。図２に示すように、毛切断ユニット１３ａの組立状態において、外部切断部材１９は、皮膚支持部材１７ａ内に配置され、内部切断部材２１は、外部切断部材１９内に配置され、外部切断部材１９及び内部切断部材２１は、スナップ接続２５ａ、２５ｂによって皮膚支持部材１７ａに解放可能に連結可能な保持部材２３によって皮膚支持部材１７ａ内の所定の位置に保持される。皮膚支持部材１７ａは、ヒンジ構造２７ａ、２７ｂによってシェービングユニット９の支持部材１５に寸胴的に取り付けられる。
【００３０】
毛切断ユニット１３ａ、１３ｂ、１３ｃがそれらの組立状態にあるシェービングヘッド５の動作状態において、各内部切断部材２１は、図３に示す回転軸２９について外部切断部材１９に対して回転可能である。シェービングデバイス１は、本体３に収容されたアクチュエータ３１を含む。図１に示す実施形態において、アクチュエータ３１は、概略的にのみ示す電気回転モータを含む。シェービングヘッド５の動作状態において、アクチュエータ３１は、伝動ユニットを介して毛切断ユニット１３ａ、１３ｂ、１３ｃの内部切断部材２１を外部切断部材１９に対して回転させることができ、伝動ユニットは、本体３内に並びにシェービングヘッド５（図示せず）の支持構造７内に収容される伝動要素を含み、３つの内部切断部材１９のそれぞれ１つに解放可能に連結されるために支持構造７内にそれぞれ配置される（図２に示す）３つの駆動スピンドル３３ａ、３３ｂ、３３ｃを更に含む。アクチュエータ３１は、内部切断部材２１が回転軸２９についての第１の回転方向Ｒ１において外部切断部材１９に対して回転するように、アクチュエータ３１が毛切断ユニット１３ａ、１３ｂ、１３ｃを駆動させる、第１の動作状態において作動するように、並びに、内部切断部材２１が第１の回転方向Ｒ１とは反対の回転軸２９についての第２の回転方向Ｒ２において外部切断部材１９に対して回転するように、アクチュエータ３１が毛切断ユニット１３ａ、１３ｂ、１３ｃを駆動させる、第２の動作状態において作動するように、構成され且つ配置される。シェービングデバイス１は、図１に概略的に示す制御ユニット３５を含み、第１の動作状態又は第２の動作状態において作動するようアクチュエータ３１を選択的に制御するように、構成され且つ配置される。シェービングデバイス１は、図１に概略的に示すユーザ入力部材３７を更に含み、ユーザが第１の動作状態及び第２の動作状態を選択することを可能にする。ユーザ入力部材３７は、単純な制御ノブ又はタッチパネルであってよい。アクチュエータ３１が電気回転モータを含むとき、制御ユニット３５は、例えば、選択される動作状態に依存して２つの回転方向の１つにおいてモータを選択的に駆動させるように、回転モータの電源ユニットを制御してよい。
【００３１】
本発明に従ったシェービングデバイスは、代替的に、本発明に従った少なくとも１つの毛切断ユニットを支持する支持構造を有してよく、支持構造は、シェービングデバイスの本体に対して固定された位置に取り付けられることに留意のこと。更に、本体に解放可能に連結される本発明に従ったシェービングヘッドを有する本発明に従ったシェービングデバイスにおいて、シェービングヘッドの支持構造は、前述した中央に配置された連結部材１１とは異なる連結部材を有してよい。例えば、支持構造は、前述のような支持部材１５と類似の形状を有してよく、支持構造は、ヒンジ構造によって本体に解放可能に連結される。そのような実施形態では、動作状態において、シェービングデバイスの毛収集チャンバが、本体の上壁及び支持構造によって囲まれるのに対し、図２に示す実施形態では、毛収集チャンバ３９が、シェービングヘッド５の動作状態において支持構造７及びシェービングユニット９によって囲まれる。
【００３２】
図１及び図３に示すように、外部切断部材１９は、外部切断部材１９及び環状毛切断トラック４１の中心軸４３の周りに中心的に配置される環状毛切断トラック４１を含む。毛切断ユニット１３ａの組立状態において、中心軸４３は、回転軸２９と実質的に一致する。環状毛切断トラック４１は、使用中にユーザの皮膚と接触する（図１に見える）環状外面４５を有する。環状毛切断トラック４１は、使用中に毛切断ユニット１３ａの内部切断部材２１と接触する（図３に見える）環状内面４７を有する。環状毛切断トラック４１は、複数の毛進入開口４９を更に含み、各々の毛進入開口４９は、環状外面４５から環状内面４７まで延びる。図３に示す外部切断部材１９の実施形態において、毛進入開口４９は、スロット形状であり、各々の毛進入開口４９は、中心軸４３に対して半径方向に主たる延伸方向を有する。環状毛切断トラック４１の複数の毛進入開口４９の隣接する毛進入開口４９の各ペアの間には、毛案内要素５１が配置される。図３に示す外部切断部材１９の実施形態において、毛案内要素５１は、ラメラ形状であり、各々の毛案内要素５１は、中心軸４３に対して半径方向に延びる主たる延伸方向を有する。
【００３３】
図３に示すように、内部切断部材２１は、複数の毛切断体５３を含む。毛切断体５３は、内部切断部材２１の基部５５に環状に配列され且つ一体的に形成される。毛切断ユニット１３ａの組立状態において、毛切断体５３は、外部切断部材１９に対する内部切断部材２１の回転中に、毛切断体５３が環状毛切断トラック４１の環状内面４７と滑り接触するように、外部切断部材１９の環状毛切断トラック４１の環状内面４７に沿って配置される。
【００３４】
図４は、毛切断ユニット１３ａの外部切断部材１９の単一の毛案内要素５１を、毛切断ユニット１３ａの内部切断部材２１の単一の毛切断体５３と共に、概略的な斜視図において示している。外部切断部材１９の残余の毛案内要素５１及び内部切断部材２１の残余の毛切断体５３は、図４に示す単一の毛案内要素５１及び単一の毛切断体５３に関して以下に記載するのと類似の特徴を有する。
【００３５】
図４において、参照番号４９ａ及び４９ｂは、環状毛切断トラック４１の第１の毛進入開口及び隣接する第２の毛進入開口をそれぞれ示しており、毛案内要素５１は、それらの間に配置される。図４に示すように、外部切断部材１９の毛案内要素５１は、環状毛切断トラック４１の環状外面４５によって構成される外面セグメント５５と、環状毛切断トラック４１の環状内面４７によって構成される内面セグメント５７とを含む。毛案内要素５１は、更に、第１の毛進入開口４９ａを境界付ける第１の側面５９と、第２の毛進入開口４９ｂを境界付ける第２の側面６１とを含む。第１の側面５９が内面セグメント５７に接続する場所で、毛案内要素５１は、第１の切断エッジ６３を含む。第２の側面６１が内面セグメント５７に接続する場所で、毛案内要素５１は、第２の切断エッジ６５を含む。毛案内要素５１の第１及び第２の切断エッジ６３、６５は、以下に記載するように毛切断体５３に設けられる対向切断エッジ(カウンタ切断エッジ)と協働して毛の切断を可能にするのに十分な程に鋭利である。好ましくは、毛案内要素５１の第１及び第２の切断エッジ６３、６５は、３０マイクロメートル以下、より好ましくは、２０マイクロメートル以下、最も好ましくは、１５マイクロメートル以下の曲率半径を有する。
【００３６】
図４に更に示すように、内部切断部材２１の毛切断体５３は、第１の切断エッジ６９を含む第１の毛切断要素６７と、第２の切断エッジ７３を含む第２の毛切断要素７１とを含む。毛切断体５３の第１の切断エッジ６９は、内部切断部材２１が外部切断部材１９に対して第１の回転方向Ｒ１において回転するときに、外部切断部材１９の毛案内要素５１の第１の切断エッジ６３と協働するように配置される。毛切断体５３の第２の切断エッジ７３は、内部切断部材２１が外部切断部材１９に対して第２の回転方向Ｒ２において回転するときに、外部切断部材１９の毛案内要素５１の第２の切断エッジ６５と協働するように配置される。毛切断体５３の第１及び第２の切断エッジ６９、７３は、外部切断部材１９の毛案内要素５１に設けられた第１及び第２の切断エッジ６３、６５とそれぞれ協働して毛の切断を可能にするのに十分な程に鋭利である。好ましくは、毛切断体５３の第１及び第２の切断エッジ６９、７３は、３０マイクロメートル以下、より好ましくは、２０マイクロメートル以下、最も好ましくは、１５マイクロメートル以下の曲率半径を有する。
【００３７】
図５は、図４に示す毛案内要素５１の断面図を示している。前記断面は、図４において参照番号７５によって示されており、外部切断部材１９の中心軸４３に対する半径方向に対して垂直に延びる。前記断面において、毛案内要素５１の内面セグメント５７は、中心軸４３に対して垂直に延びる仮想平面７７において、毛案内要素５１の第１及び第２の切断エッジ６３、６５の間に延在する。前記断面において、内部切断部材２１の毛切断体５３の第１及び第２の切断要素６７、７１の第１及び第２の切断エッジ６９、７３は、回転軸２９についての内部切断部材２１の回転中に、前記仮想平面７７に平行に、内面セグメント５７と滑り接触して移動する。更に、前記断面において、毛案内要素５１は、内面セグメント５７に対して垂直に延びる仮想中間軸７９を有する。想像中間軸７９は、毛案内要素５１の第１及び第２の切断エッジ６３、６５の間の中間の交点８１において内面セグメント５７と交差する。換言すれば、図５に示すように、毛案内要素５１の幅Ｗは、仮想中間軸７９によって２つの等しい半体Ｈ１及びＨ２に分割される。よって、仮想中間軸７９は、毛案内要素５１の全断面積ＡＴを、第１の切断エッジ６３を含み、第１の切断エッジ６３から仮想中間軸７９まで延びる、第１の断面積部分Ａ１と、第２の切断エッジ６５を含み、第２の切断エッジ６５から仮想中間軸７９まで延びる、第２の断面積部分Ａ２とに分割する。よって、総断面積ＡＴは、第１の断面積部分Ａ１と第２の断面積部分Ａ２との合計である。
【００３８】
本発明によれば、毛案内要素５１の第１の断面積部分Ａ１は、第２の断面積部分Ａ２よりも小さい。具体的には、第１の断面積部分Ａ１は、毛案内要素５１の総断面積ＡＴの４８％以下である。その結果、内面セグメント５７に対して垂直な方向において測定された第１の断面積部分Ａ１の平均的な厚さは、図５で容易に分かるように、第２の断面積部分Ａ２の平均的な厚さよりも小さい。具体的には、第１の断面積部分Ａ１の平均的な厚さは、第２の断面積部分Ａ２の平均的な厚さの９２．３％（４８／５２）以下である。図６Ａ及び図６Ｂを参照して、毛案内要素５１の第１及び第２の断面積部分Ａ１及びＡ２の間のこの平均的な厚さ比の技術的効果を以下に議論する。
【００３９】
図６Ａ及び図６Ｂは、内部切断部材２１の回転軸２９に対する半径方向に対して垂直に延びる毛切断体５３の断面を概略的に示している。図６Ａ及び図６Ｂは、図５に示す毛案内要素５１の断面と実質的に一致する、前記断面における外部切断部材１９の多数の隣接する毛案内要素５１も示している。毛切断体５３の第１及び第２の毛切断要素６７、７１の共通断面を構成する図６Ａ及び図６Ｂの断面において、第１及び第２の毛切断要素６７、７１の第１及び第２の切断エッジ６９、７３は、回転軸２９に対して垂直に延びる仮想平面８７内に位置している。仮想平面８７は、図５に示す仮想平面７７と実質的に一致する。その結果、毛切断体の第１及び第２の毛切断要素６７、７１は、回転軸２９についての内部切断部材２１の回転中に、毛案内要素５１の内面セグメント５７と滑り接触する。
【００４０】
図６Ａ及び図６Ｂにおいて、毛案内要素５１は、シェービングデバイス１の使用中にユーザの皮膚８３と圧力接触する。前記圧力接触の結果、皮膚８３は、毛案内要素５１の間の毛入口開口４９内に部分的に進入し、それによって、毛入口開口４９内に皮膚膨出部８５(皮膚バルジ)を形成する。図６Ａは、アクチュエータ３１の第１の動作状態を示しており、内部切断部材２１は、回転軸２９についての第１の回転方向Ｒ１において外部切断部材１９に対して回転するように駆動される。図６Ｂは、アクチュエータ３１の第２の動作状態を示しており、内部切断部材２１は、第１の回転方向Ｒ１とは反対の第２の回転方向Ｒ２において回転するように駆動される。
【００４１】
図６Ａに示すような第１の回転方向Ｒ１における内部切断部材２１の回転中に、毛切断体５３の第１の切断エッジ６９は、毛案内要素５１の第１の切断エッジ６３と共働する。本明細書で前述したように、毛案内要素５１の第１の断面積部分Ａ１は、（図６Ａにおいてｔ１によって概略的に示す）比較的小さな平均的な厚さを有するので、皮膚８３は、毛案内要素５１の第１の切断エッジ６３の場所で毛進入開口４９内に比較的大きな距離に亘って膨らむ(bulges)。その結果、毛進入開口４９に進入する毛８９は、毛切断体５３の第１の切断エッジ６９及び毛案内要素５１の第１の切断エッジ６３によって、皮膚８３の表面に比較的近い位置において切断される。図６Ｂに示すような第２の回転方向Ｒ２における内部切断部材２１の回転中に、毛切断体５３の第２の切断エッジ７３は、毛案内要素５１の第２の切断エッジ６５と共働する。本明細書で前述したように、毛案内要素５１の第２の断面積部分Ａ２は、（図６Ｂにおいてｔ２によって概略的に示す）比較的大きな平均的な厚さを有するので、皮膚８３は、毛案内要素５１の第２の切断エッジ６５の場所で毛進入開口４９内に比較的小さな距離に亘って膨らむ。その結果、毛進入開口４９に進入する毛９１は、毛切断体５３の第２の切断エッジ７３及び毛案内要素５１の第２の切断エッジ６５によって、（図６Ａと比較して）皮膚８３の表面に余り近くない位置において切断される。その結果、内部切断部材２１が第１の回転方向Ｒ１において回転するアクチュエータ３１の第１の動作状態では、比較的滑らかで長持ちするシェービング結果が達成されるが、回転する内部切断部材２１の第１の切断エッジ６９に比較的近い皮膚の位置の故に、皮膚刺激のリスクは増大する。反対に、内部切断部材２１が第２の回転方向Ｒ２において回転するアクチュエータ３１の第２の動作状態では、余り滑らかなシェービング結果は達成されないが、皮膚刺激のリスクは比較的低く、皮膚快適性のレベルは、第１の動作状態と比較して比較的高い。よって、第１及び第２の動作条件の間を選択することによって、すなわち、内部切断部材２１の２つの対向する回転方向Ｒ１及びＲ２の間を選択することによって、ユーザは、比較的低い程度の皮膚快適性を伴う比較的滑らかで長持ちするシェービング結果と比較的高い程度の皮膚快適性を伴う余り滑らかでないシェービング結果との間を選択することができる。
【００４２】
好ましくは、各毛案内要素５１の第１の断面積部分Ａ１は、総断面積ＡＴの３０％〜４５％の間である。そのような好ましい実施態様において、第１及び第２の断面積部分Ａ１及びＡ２の平均的な厚さの間の比ｔ１／ｔ２は、４２．９％（３０／７０）〜８１．８％（４５／５５）の間である。この範囲の比ｔ１／ｔ２は、シェービング結果の近接度と皮膚の快適性との間のバランスに関して、第１及び第２の回転方向Ｒ１、Ｒ２の間の最適な差をもたらす。
【００４３】
図５の毛案内要素５１の断面に示すように、毛案内要素５１は、毛案内要素５１の第２の切断エッジ６５と仮想中間軸７９との間にある内面セグメント５７での最大厚さ位置９３で、内面セグメント５７に対して垂直な方向に測定された最大厚さｔＭＡＸを有する。この断面において、毛案内要素５１の厚さは、第１の切断エッジ６３から最大厚さ位置９３まで着実に増加し、最大厚さ位置９３から第２の切断エッジ６５まで着実に減少する。このようにして、毛案内要素５１の第１の断面積Ａ１と総断面積ＡＴとの間の比は、毛案内要素５１の単純な断面幾何学的形状によって達成される。図５の実施形態は、第１の切断エッジ６３から最大厚さ位置９３及び最大厚さ位置９３から第２の切断エッジ６５までのそれぞれの毛案内要素５１の厚さの多かれ少なかれ連続的な又は漸進的な増大及び減少を示すが、毛案内要素５１は、本発明に従った比Ａ１／ＡＴをもたらす代替的な厚さプロファイルを有してよい。厚さは、例えば、第１及び第２の断面積部分の部分に亘って一定であってよい。厚さは、例えば、徐々に増大又は減少する代わりに、段階的に増大又は減少してよい。
【００４４】
図４に更に示すように、毛案内要素５１は、Ａ１／ＡＴが、中心軸４３からの第１の距離Ｄ１から第１の距離Ｄ１よりも大きい中心軸４３からの第２の距離Ｄ２までの外部切断部材１９の中心軸４３に対する任意の半径方向位置において、本発明に従って４８％以下である、断面を有する。このようにして、図６Ａ及び図６Ｂを参照して記載したような内部切断部材２１の第１及び第２の回転方向Ｒ１及びＲ２についての異なる毛切断結果が、中心軸４３からの第１の距離Ｄ１から第２の距離Ｄ２まで毛案内要素５１上の任意の半径方向位置において達成される。図４の実施形態において、第１の距離Ｄ１と第２の距離Ｄ２との間の距離の範囲は、内部切断部材２１の第１及び第２の切断エッジ６９及び７３の半径方向の延伸に対応する。しかしながら、代替的な実施形態において、毛案内要素５１は、Ａ１／ＡＴが、中心軸４３に対する半径方向の位置の限定的な範囲においてのみ、本発明に従って４８％以下である、断面を有してよい。そのような代替的な実施形態において、毛案内要素は、他の半径方向位置において、Ａ１＝Ａ２＝０．５×ＡＴである、断面を有してよい。
【００４５】
図４において、毛案内要素５１は、中心軸４３に対して半径方向に主延伸を備える細長い形状を有する一方で、内面セグメント５７は、中心軸４３に対して垂直な仮想平面内に延びる。代替的な実施形態において、毛案内要素５１は、半径方向に対して斜めに延びてよく、或いは、例えば、Ｖ字形を有してよい。更なる代替的な実施形態において、毛案内要素５１の内面セグメント５７は、中心軸４３を通じて延びる半径方向断面に見られるときに湾曲してよい。そのような実施態様において、内部切断部材２１の第１及び第２の切断エッジ６９、７３は、対応する湾曲した形状を有する。
【００４６】
図４に容易に見ることができるように、中心軸４３からの第１及び第２の距離Ｄ１及びＤ２の半径方向位置における毛案内要素５１の総断面積ＡＴは、第１及び第２の距離Ｄ１及びＤ２の間の中心軸４３からの第３の距離Ｄ３での半径方向位置における毛案内要素５１の総断面積ＡＴよりも大きい。その結果、毛案内要素５１の断面は、２つの半径方向端部分の間の中央部分における毛案内要素５１の断面の平均的な厚さと比較して、その半径方向端部分において増大した平均的な厚さを有する。毛案内要素５１の半径方向端部分の前記増加した平均的な厚さは、図４に示すような中心軸４３からの第１及び第２の距離Ｄ１及びＤ２での内部切断部材２１の第１及び第２の切断エッジ６９、７３の鋭利な半径方向端部分９５との接触によって引き起こされることがある刺激及び損傷から皮膚を保護する。毛案内要素５１の半径方向端部分の増大した平均的な厚さは、毛案内要素５１の剛性も増大させる。具体的には、毛案内要素５１の平均的な厚さは、２つの半径方向端部分の間の毛案内要素５１の中央部分において更に減少させられてよい。図４に更に容易に見ることができるように、毛案内要素５１の総断面積ＡＴは、中心軸４３からの第１の距離Ｄ１での最大値から、中心軸４３からの第３の距離Ｄ３付近の毛案内要素５１の中心領域におけるその最小値まで漸進的に変化し、中心軸４３からの第３の距離Ｄ３付近の毛案内要素５１の中心領域におけるその最小値から中心軸４３からの第２の距離Ｄ２でのその最大値まで漸進的に変化する。
【００４７】
図６Ａに更に示すように、内部切断部材２１の毛切断体５３の第１の毛切断要素６７及び第２の毛切断要素７１は、内部切断部材２１の基部５５と一体的に形成された担持要素９７(carrying  element)に一体的に形成されている。担持要素９７は、上面９９を含む。図６Ａの断面において、上面９９は、第１の切断エッジ６９から第２の切断エッジ７３まで仮想平面８７内に延在する。外部切断部材１９に対する回転軸２９についての内部切断部材２１の回転中に、上面９９は、外部切断部材１９の環状切断トラック４１の環状内面４７と滑り接触する、すなわち、毛案内部材５１の内面セグメント５７と滑り接触する。担持要素９７は、第１の毛切断要素６７の第１の切断エッジ６９を介して上面９９に接続する第１の側面１０１を更に含む。担持要素９７は、第２の毛切断要素７１の第２の切断エッジ７３を介して上面９９に接続する第２の側面１０３を更に含む。
【００４８】
よって、図６Ａ及び図６Ｂの実施形態において、内部切断部材２１の第１及び第２の切断エッジ６９、７３は、担持要素９７の上面９９の対向するエッジに一体的に形成されており、第１及び第２の毛切断素子６７、７１は、担持要素９７の第１及び第２の上方部分によって形成されている。代替的な実施形態において、外部切断部材２１の毛案内要素５１の第１の切断エッジ６３と協働するために内部切断部材２１の第１の切断エッジを担持する第１の毛切断要素、及び毛案内要素５１の第１の切断エッジ６５と協働するために内部切断部材２１の第２の切断エッジを担持する第２の毛切断要素は、各々が内部切断部材２１の第１及び第２の切断エッジのそれぞれの１つを担持する、空間的に分離された担持要素によって形成されてよい。前記空間的に分離された担持要素は、内部切断部材２１の基部５５に取り付けられてよく、或いは一体的に形成されてよい。
【００４９】
図７は、本発明の毛切断ユニットの第２の実施形態について図６Ａ及び図６Ｂの断面に類似する断面を概略的に示している。図７において、図６Ａ及び図６Ｂに示す実施形態の構成に類似する第２の実施形態の構成は、類似の参照番号で示されている。以下では、第２の実施形態と図６Ａ及び図６Ｂに示す実施形態との間の相違のみを記載する。
【００５０】
図７に示す本発明に従った毛切断ユニットの第２の実施形態の断面において、担持要素９７の第１の側面１０１及び上面９９は、内部切断部材２１の第１の切断エッジ６９の場所で第１の最先端角度α１を取り囲む。この断面において、担持要素９７の第２の側面１０３及び上面９９は、内部切断部材２１の第２の切断エッジ７３の場所で第２の切断エッジ角α２を取り囲む。第１の切断エッジ角α１は、第２の切断エッジ角α２よりも小さい。内部切断部材２１の第１の切断エッジ６９での比較的小さな切断エッジ角α１は、内部切断部材２１が図７の右部分に例示するような第１の回転方向Ｒ１に回転しているときに、毛切断ユニットの切断効率を向上させる。比較的小さな切断エッジ角α１は、内部切断部材２１が第１の回転方向Ｒ１に回転しているときに、皮膚刺激のレベルを増加させることもある。内部切断部材２１の第２の切断エッジ７３での比較的大きな切断エッジ角α２は、皮膚刺激のリスクを減少させ、それによって、内部切断部材２１が図７の左部分に例示するような第２の回転方向Ｒ２に回転しているときに、毛切断ユニットの皮膚の快適性を向上させる。しかしながら、比較的大きな切断エッジ角α２は、内部切断部材２１が第２の回転方向Ｒ２に回転しているときに、毛切断効率を低下させることもある。よって、異なる切断エッジ角α１、α２は、一般的に、毛切断効率の間の差と内部切断部材２１の第１及び第２の回転方向Ｒ１及びＲ２についての皮膚快適性のレベルの間の差とを増大させる。
【００５１】
図８は、本発明に従った毛切断ユニットの第３の実施蹴板について図６Ａ、図６Ｂ及び図７の断面に類似する断面を概略的に示している。図８において、図６Ａ、図６Ｂ及び図７に示す実施形態の構成に類似する第３の実施形態の構成は、類似の参照番号で示されている。以下では、第３の実施形態と図７に示す実施形態との間の相違のみを記載する。
【００５２】
図７に示す第２の実施形態と同様に、図８に示す本発明に従った毛切断ユニットの第３の実施形態の断面において、担持要素９７の第１の側面１０１及び上面９９は、内部切断部材２１の第１の切断エッジ６９の場所で第１の切断エッジ角α１を取り囲み、担持要素９７の第２の側面１０３及び上面９９は、内部切断部材２１の第２の切断エッジ７３の場所で第２の切断エッジ角α２を取り囲み、第１の切断エッジ角α１は、第２の切断エッジ角α２よりも小さい。第３の実施形態において、内部切断部材２１は、毛切断体５３の第１の切断エッジ６９と協働するために、第１の回転方向Ｒ１において見られるときに、各担持要素９７の前に配置される、毛収縮要素１０５(hair-retention  element)を更に含む。そのような毛収縮素子１０５の構造及び機能、並びにそのような毛収縮素子１０５を内部切断部材２１に組み込む方法は、当業者に知られており、詳細は記載されない。例えば、類似の毛収縮又は毛引張(hair-pulling)要素を含む毛切断ユニットを詳細に記載する特許文献４を参照のこと。毛収縮要素１０５は、担持要素９７から離れたその側に切断エッジ１０９を有する端面１０７を含む。毛収縮要素１０５は、担持要素９７の第１の側面１０１に沿って担持要素９７に対して移動可能に案内される。更に、毛収縮要素１０５は、バネ力によって、外部切断部材１９の環状毛切断トラック４１の環状内面４７に向かって、すなわち、毛案内要素５１の内面セグメント５７に向かって付勢される。本明細書で前述したような毛収縮要素１０５の案内及び付勢を可能にする構造的な詳細は、特許文献４に記載されるものと類似してよい。
【００５３】
図８の右部分に例示するような第１の回転方向Ｒ１における内部切断部材２１の回転中に、毛進入開口４９に進入する毛８９は、先ず、毛収縮要素１０５の切断エッジ１０９によって捕捉される。切断エッジ１０９は、毛８９を部分的にのみ貫通し、その結果、担持要素９７の更なる回転中に、皮膚８３から特定の距離に亘って毛８９を引き出す(extract)。図８の右部分において、毛収縮要素１０５は、皮膚８３から毛８９を引き出した後の収縮位置において示されているのに対し、図８の左部分は、毛を捕捉する前のその休止位置における毛収縮要素１０５を示している。引き続き、毛８９は、担持要素９７の第１の切断エッジ６９と毛案内要素５１の第１の切断エッジ６３との間の協働によって切断される。毛８９は、最初に、毛収縮要素１０５によって皮膚から引き出されたので、毛８９は、切断された後に再び皮膚内に収縮する。その結果、毛８９が切断される切断位置ＰＣも、皮膚の表面に近いか或いは皮膚の表面より下でさえある位置に収縮するので、内部切断部材２１の第１の切断エッジ６９での切断プロセスの近接性が更に改良される。何故ならば、図８の左部分に例示するような第２の回転方向Ｒ２における内部切断部材２１の回転中に、毛収縮要素１０５は、内部切断部材２１の第２の切断エッジ７３での毛切断プロセスに影響を及ぼさず、毛収縮要素１０５は、内部切断部材２１の第１及び第２の回転方向Ｒ１及びＲ２についての毛切断効率の間の差を増加させるからである。
【先行技術文献】
【特許文献】
【００５４】
【特許文献１】特開２０１５−２２３３１５号公報
【特許文献２】欧州特許出願公開第０２７９０８８Ａ１号明細書
【特許文献３】欧州特許出願公開第１６９０６５４Ａ１号明細書
【特許文献４】欧州特許第１２１２１７６Ｂ号明細書
【国際調査報告】
2021522007.tif 000012
2021522007.tif 000013